(57)【特許請求の範囲】
【請求項１】
無線通信システムのユーザー端末（ＵＥ）による通信方法であって、
前記ユーザー端末（ＵＥ）がアップリンク（ＵＬ）データを送信しない区間である測定ギャップ（ＭＧ）に関する構成情報を前記ＵＥが基地局から受信するステップと、
前記構成情報に基づいて前記測定ギャップの少なくとも一つのサブフレームを識別するステップと、
前記識別された少なくとも一つのサブフレームに基づいて、前記測定ギャップの直前に存在するサブフレームの終了時点で、前記ＵＥにより、前記測定ギャップに対応する測定を開始するステップと、
前記測定ギャップの直前に存在するサブフレームがダウンリンク（ＤＬ）サブフレームであるか否かに基づいて、前記測定ギャップの直後のサブフレームでＵＬ送信を遂行するか否かを決定するステップと、
を有することを特徴とする通信方法。
【請求項２】
前記測定ギャップに対応する測定は、
複数のサービングセルが前記ＵＥに対して構成される場合、前記サービングセルの前記識別されたサブフレームのサブフレーム番号を有するサブフレームの直前の複数のサブフレームのうち最後のサブフレームの終了時点で開始することを特徴とする請求項１に記載の通信方法。
【請求項３】
前記動作を決定するステップは、
前記ＵＥが周波数分割多重（ＦＤＤ）モードであるか、あるいは時間分割多重（ＴＤＤ）モードであるかを識別するステップと、
前記測定ギャップの直後の前記ＵＥがＴＤＤモードであると識別される場合、前記測定ギャップの直前のサブフレームがＤＬサブフレームであるかを識別するステップと、
前記測定ギャップの直前のサブフレームがＤＬサブフレームである場合、前記測定ギャップの直後のサブフレームでＵＬ送信を遮断するステップと、
を有することを特徴とする請求項１に記載の通信方法。
【請求項４】
前記構成情報は、
前記測定ギャップの開始時点を決定するために用いられるギャップオフセットに関する情報及び前記測定ギャップの反復周期に関連した情報を含むことを特徴とする請求項１に記載の通信方法。
【請求項５】
無線通信システムにおける通信を遂行するユーザー端末（ＵＥ）装置であって、
ＵＥがアップリンク（ＵＬ）データを送信しない区間である測定ギャップに関する構成情報を基地局から受信する送受信器と、
前記構成情報によって前記測定ギャップの少なくとも一つのサブフレームを識別し、前記識別された少なくとも一つのサブフレームに基づいて前記測定ギャップの直前に存在するサブフレームの終了時点で前記測定ギャップに対応する測定を開始し、前記測定ギャップの直前に存在するサブフレームがＤＬサブフレームであると識別される場合、前記測定ギャップの直後のサブフレームでＵＬ送信を遂行するか否かを決定する制御部と、
を含むことを特徴とする装置。
【請求項６】
前記測定ギャップに対応する測定は、
複数のサービングセルがＵＥに対して構成される場合、前記サービングセルの前記識別されたサブフレームのサブフレーム番号を有するサブフレームの直前の複数のサブフレームのうち最後のサブフレームが終了する時点で開始することを特徴とする請求項５に記載のＵＥ装置。
【請求項７】
前記制御部は、
前記測定ギャップの直前のサブフレームがＤＬサブフレームであるかを識別し、前記測定ギャップの直後のサブフレームでＵＬ送信を遮断することを特徴とする請求項５に記載の装置。
【請求項８】
前記制御部は、
前記測定ギャップの直後の前記ＵＥが時間分割多重（ＴＤＤ）モードであり、前記測定ギャップの直前のサブフレームがＤＬサブフレームであると識別される場合、前記測定ギャップの直後のサブフレームで前記送受信器によるＵＬ送信を遮断することを特徴とする請求項５に記載の装置。
【請求項９】
前記構成情報は、
前記測定ギャップの開始時点を決定するために用いられるギャップオフセットに関する情報及び前記測定ギャップの反復周期に関連した情報を含むことを特徴とする請求項５に記載の装置。
【発明の詳細な説明】
【技術分野】
【０００１】
本発明は一般的に通信システムに関するもので、特に無線通信システムにおいて信号を送受信する方法及び装置に関する。
【背景技術】
【０００２】
移動通信システムは、ユーザーの移動性を確保しつつ通信を提供するための目的で開発されてきた。このような移動通信システムは、技術の飛躍的な発展によって音声通信だけでなく高速のデータ通信サービスが提供される。
【０００３】
次世代移動通信システムである３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）システムは、３ＧＰＰデータレートより高い最大１００Ｍｂｐｓ程度データレートを有する高速パケットベースの通信を実現する。さらに、ＬＴＥ通信システムに新たな技術を適用してデータレートを向上させる進化したＬＴＥ（ＬＴＥ−Ａ）システムに関する議論が進まれている。以下、“ＬＴＥ”は、既存のＬＴＥシステムとＬＴＥ−Ａシステム両方ともを意味する。
【０００４】
ＬＴＥ標準では、ＦＤＤ（Ｆｒｅｑｕｅｎｃｙ  Ｄｉｖｉｓｉｏｎ  Ｄｕｐｌｅｘ）、ＴＤＤ（Ｔｉｍｅ  Ｄｉｖｉｓｉｏｎ  Ｄｕｐｌｅｘ）の２つのデュプレックス（ｄｕｐｌｅｘ）モードをサポートする。ＦＤＤでは、異なる周波数帯域がアップリンク（ＵＬ）及びダウンリンク（ＤＬ）に使用され、ＴＤＤでは、同一の周波数帯域がＵＬ及びＤＬに使用される。
【０００５】
ＬＴＥ−Ａシステムで新しく導入される技術のうちの一つは、キャリアアグリゲーション（Ｃａｒｒｉｅｒ  Ａｇｇｒｅｇａｔｉｏｎ：ＣＡ）である。ＣＡにおいて、ユーザー端末（ＵＥ）は、多重キャリアでデータを送受信する。具体的に、ＵＥは、集積された複数のキャリア（通常、同一の基地局（ｅＮＢ）によりサービスされるキャリア）を通じてデータを送受信する。このＵＥのデータ送受信は、複数のセルを通じてＵＥのデータ送受信と同一である。したがって、ＣＡが異なる周波数帯域及び異なるサブフレームパターンを有するＴＤＤセルに適用される場合、ＵＥがｅＮＢと円滑にデータ送受信を可能にする技術が必要である。
【０００６】
上記情報は、本発明の理解を助けるために背景情報のみとして開示される。これらが本発明に対して従来技術として適用できるか否かに関しては何の決定及び断言も下されていない。
【発明の概要】
【発明が解決しようとする課題】
【０００７】
したがって、上記した従来技術の問題点を解決するために、本発明の目的は、無線通信システムにおいてデータ通信に必要な制御信号を送受信する方法及び装置を提供することにある。
【０００８】
本発明の他の目的は、複数の周波数をサポートする無線通信システムで非サービング周波数を測定する方法及び装置を提供することにある。
【０００９】
また、本発明の目的は、複数の周波数をサポートする無線通信システムにおいて、ＵＥがアップリンク送信及びダウンリンク受信を中断する間に測定ギャップを構成する方法及び装置を提供することにある。
【００１０】
さらに、本発明の目的は、多重入力多重出力（ＭＩＭＯ）動作のためのランク指示（Ｒａｎｋ  Ｉｎｄｉｃａｔｉｏｎ：ＲＩ）を報告する方法及び装置を提供することにある。
【００１１】
本発明の他の目的は、空間多重化のためのレイヤの個数を表すＲＩのビット数（又はビット幅）を決定する方法及び装置を提供することにある。
【００１２】
また、本発明の目的は、異なるサブフレームパターンを有するＴＤＤセルのキャリアが集積される場合、ＴＤＤ端末で基地局とデータを送受信する方法及び装置を提供することにある。
【００１３】
さらに、本発明の目的は、異なるサブフレーム構成を有するＴＤＤセルの集積されたキャリアを通じてデータを送受信する方法及び装置を提供することにある。
【課題を解決するための手段】
【００１４】
上記のような目的を達成するために、本発明の一態様によれば、無線通信システムにおける通信方法が提供される。その方法は、ユーザー端末（ＵＥ）がアップリンク（ＵＬ）送信及びダウンリンク（ＤＬ）受信を中止する時区間である測定ギャップ（ＭＧ）に関する測定ギャップ構成情報をＵＥにより受信するステップと、測定ギャップ構成情報に基づいて測定ギャップの開始時点を特定するサブフレーム番号を決定するステップと、決定されたサブフレーム番号を有するサブフレーム直前のサブフレームの終了時点で測定ギャップを開始するステップと、測定ギャップの間に所定の測定動作を遂行するステップと、測定ギャップ直後のサブフレームでＵＥのデュプレックスモード及び測定ギャップ直前のサブフレームのタイプに基づいて所定の動作を遂行するステップとを有する。
【００１５】
本発明の他の態様によれば、無線通信システムにおける通信方法が提供される。その方法は、ユーザー端末（ＵＥ）がアップリンク（ＵＬ）送信及びダウンリンク（ＤＬ）受信を中断する測定ギャップに関する測定ギャップ構成情報をＵＥに伝送するステップと、測定ギャップ構成情報に基づいて測定ギャップに含まれるサブフレームを決定するステップと、測定ギャップ直前のサブフレームがＤＬサブフレームである場合、測定ギャップ直後のＵＬサブフレームでＵＥからのＵＬ送信に対するモニタリングを遮断するステップとを有する。
【００１６】
また、本発明の他の態様によれば、無線通信システムにおける通信を遂行するユーザー端末（ＵＥ）装置が提供される。その装置は、ＵＥがアップリンク（ＵＬ）送信及びダウンリンク（ＤＬ）受信を中断する時区間である測定ギャップに関する測定ギャップ構成情報を受信する送受信器と、測定ギャップ構成情報によって測定ギャップの開始時点を特定するサブフレーム番号を決定し、サブフレーム番号を有するサブフレーム直前のサブフレームが終了する時点で測定ギャップを開始することに決定し、測定ギャップで所定の測定動作を遂行するように送受信器を制御し、測定ギャップ直後のサブフレームでＵＥのデュプレックスモード及び測定ギャップ直前のサブフレームのタイプに基づいて所定の動作を遂行するように送受信器を制御する制御部とを含む。
【００１７】
さらに、本発明の他の態様によれば、無線通信システムにおける通信を遂行する基地局（ＢＳ）装置が提供される。その装置は、ユーザー端末（ＵＥ）がアップリンク（ＵＬ）伝送及びダウンリンク（ＤＬ）受信を中断する測定ギャップ（ＭＧ）に関する測定ギャップ構成情報をＵＥに伝送する送受信器と、測定ギャップ構成情報によって測定ギャップに含まれるサブフレームを決定し、測定ギャップ直前のサブフレームがＤＬサブフレームである場合、測定ギャップ直後のＵＬサブフレームでＵＥからのＵＬ送信に対するモニタリングを遮断するように送受信機を制御する制御部とを含む。
【００１８】
本発明の詳細な説明に先立ち、本明細書の全般で使われる用語や語句を定義する。「〜含む（ｉｎｃｌｕｄｅ）」、「〜からなる（ｃｏｍｐｒｉｓｅ）」だけでなく、それらの派生語は限定のない包含を意味する。「または（ｏｒ）」は及び／または（ａｎｄ／ｏｒ）を含み、「〜に関連する（ａｓｓｏｃｉａｔｅｄ  ｗｉｔｈ）」、「それに関連する（ａｓｓｏｃｉａｔｅｄ  ｔｈｅｒｅｗｉｔｈ）」及びそれらの派生語句は、包含（ｉｎｃｌｕｄｅ）、含まれる（ｂｅ  ｉｎｃｌｕｄｅｄ  ｗｉｔｈｉｎ）、受容される（ｂｅ  ｃｏｎｔａｉｎｅｄ  ｗｉｔｈｉｎ）、連結（ｃｏｎｎｅｃｔ  ｔｏ  ｏｒ  ｗｉｔｈ）、接続（ｃｏｕｐｌｅ  ｔｏ  ｏｒ  ｗｉｔｈ）、通信（ｂｅ  ｃｏｍｍｕｎｉｃａｔｉｏｎ  ｗｉｔｈ）、協力（ｃｏｏｐｅｒａｔｅ  ｗｉｔｈ）、相互配置（ｉｎｔｅｒｌｅａｖｅ）、並置（ｊｕｘｔａｐｏｓｅ）、近接（ｂｅ  ａｐｐｒｏｘｉｍａｔｅ  ｔｏ）、結合（ｂｅ  ｂｏｕｎｄ  ｔｏ  ｏｒ  ｗｉｔｈ）、所有（ｈａｖｅ）、性質の所有（ｈａｖｅ  ａ  ｐｒｏｐｅｒｔｙ  ｏｆ）、または類以（ｔｈｅ  ｌｉｋｅ）を意味し、「制御器（ｃｏｎｔｒｏｌｌｅｒ）」は少なくとも一つの動作を制御する装置、システム、またはその部分を意味し、そのような装置は、ハードウェア、ファームウェア、ソフトウェア、またはこれらのうちの少なくとも二つの組み合わせで具現することができる。特定の制御器に関連する機能は、集中しているか、あるいは局地的にまたは遠距離に分散されることもある。特定の用語及び語句は本明細書の全体で使用されるが、当業者は多くの場合に上述したような定義が過去だけでなく未来の使用にも適用されることを理解しなければならない。
【００１９】
本発明の他の態様、利点、及び顕著な特徴は、下記の詳細な説明から当業者には公知であり、その詳細な説明は、添付の図面とともに本発明の実施形態で開示する。
【図面の簡単な説明】
【００２０】
【図１】本発明の一実施形態によるＬＴＥシステムの構成を示す図である。
【図２】本発明の一実施形態によるＬＴＥシステムで無線プロトコル構造を示す図である。
【図３】本発明の一実施形態によるユーザー端末（ＵＥ）のキャリアアグリゲーション（ＣＡ）を示す図である。
【図４】本発明の一実施形態によるＴＤＤフレーム構造の一例を示す図である。
【図５】本発明の一実施形態による異なるＴＤＤ  ＵＬ／ＤＬ構成を有するセルの一例を示す図である。
【図６】本発明の一実施形態によるＵＥの動作を示す図である。
【図７】本発明の一実施形態によるセカンダリサービングセルのサブフレームでＵＥの動作を示すフローチャートである。
【図８】本発明の一実施形態によるセカンダリサービングセルのフィードバック受信時間とデータ再伝送時間を決定するＵＥの動作を示すフローチャートである。
【図９】本発明の一実施形態によるセカンダリサービングセルのフィードバック伝送時間を決定するＵＥの動作を示すフローチャートである。
【図１０Ａ】本発明の一実施形態によるセカンダリサービングセルのＵＬ送信を遂行するＵＥの動作を示すフローチャートである。
【図１０Ｂ】本発明の一実施形態によるセカンダリサービングセルのＵＬ送信を遂行するＵＥの動作を示すフローチャートである。
【図１１】本発明の一実施形態によるＵＥを示すブロック構成図である。
【図１２】本発明の一実施形態によるｅＮＢの構成を示すブロック構成図である。
【図１３Ａ】サービングセルのサブフレームが相互に重複される状況の一例を示す図である。
【図１３Ｂ】サービングセルのサブフレームが相互に重複される状況の一例を示す図である。
【図１４】本発明の一実施形態によるセカンダリサービングセルのサブフレームに対するＵＥの一つの動作を示すフローチャートである。
【図１５】本発明の一実施形態による測定ギャップを示す一例を示す図である。
【図１６】サービングセルのサブフレーム境界が一致しない場合、測定ギャップの設定に含まれる問題点を示す図である。
【図１７】セカンダリサービングセルのＤＬ受信時点がプライマリサービングセルのＤＬ受信時点に先行する場合、測定ギャップの設定の一例を示す図である。
【図１８】プライマリサービングセルのＤＬ受信時点がセカンダリサービングセルのＤＬ受信時点に先行する場合、測定ギャップの設定の一例を示す図である。
【図１９】本発明の一実施形態による測定ギャップに対するＵＥの動作を示すフローチャートである。
【図２０】本発明の一実施形態による測定ギャップに対するＵＥの動作を示すフローチャートである。
【図２１】本発明の一実施形態による測定ギャップに対するＵＥの動作を示すフローチャートである。
【図２２】ＦＤＤシステムにおける測定ギャップとＵＬサブフレームとの関係を示す図である。
【図２３】ＴＤＤシステムにおけるＵＬサブフレームのタイミング調整の一例を示す図である。
【図２４】本発明による測定ギャップの設定に対するＵＥのオペレーヨンの一例を示すフローチャートである。
【図２５】本発明による測定ギャップに対するＵＥの動作の一例を示すフローチャートである。
【図２６】本発明による測定ギャップに対するＵＥの動作の一例を示すフローチャートである。
【図２７】異なるＵＬ／ＤＬ構成を有するサービングセルの一例を示す図である。
【図２８】本発明による測定ギャップの設定に対するＵＥの動作の一例を示すフローチャートである。
【図２９】本発明による測定ギャップに対するＵＥの動作の一例を示すフローチャートである。
【図３０】本発明の一実施形態によるサブフレームセットを示す図である。
【図３１】本発明による測定ギャップに対するＵＥの動作の一例を示すフローチャートである。
【図３２】本発明による測定ギャップに対するＵＥの動作の一例を示すフローチャートである。
【図３３】本発明による測定ギャップの設定の一例を示す図である。
【図３４】本発明による測定ギャップに対するＵＥの動作の一例を示すフローチャートである。
【図３５】本発明によるＲＩのビット数を決定する全体動作の信号フローの一例を示す図である。
【図３６】本発明の一実施形態によるＲＩのビット数を決定するＵＥの動作の一例を示すフローチャートである。
【発明を実施するための形態】
【００２１】
以下、本発明の望ましい実施形態を添付の図面を参照して詳細に説明する。
【００２２】
したがって、本発明の実施形態では、理解を助けるために多様で詳細な説明を含む。しかしながら、これら詳細な説明は、ほとんど典型的な例として考えられる。また、本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００２３】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２４】
英文明細書に記載の“ａ”、“ａｎ”、及び“ｔｈｅ”、すなわち単数形は、コンテキスト中に特記で明示されない限り、複数形を含むことは、当業者には理解できることである。したがって、例えば、“コンポーネント表面（ａ  ｃｏｍｐｏｎｅｎｔ  ｓｕｒｆａｃｅ）”との記載は一つ又は複数の表面を含む。
【００２５】
“実質的に（ｓｕｂｓｔａｎｔｉａｌｌｙ）”という用語は、提示された特徴、パラメータ、又は値が正確に設定される必要はないが、許容誤差、測定誤り、測定精度限界及び当業者に知られているか、あるいは当業者によって実験なしに得られる要素を含む偏差又は変化が、これら特性が提供しようとする効果を排除しない範囲内で発生することを意味する。
【００２６】
図１は、本発明の一実施形態による移動通信システムの構成を示す。次の説明では本発明が適用される移動通信システムの一例としてＬＴＥシステムを示すが、本発明は、このような特定システムに限定されないことは明らかである。
【００２７】
図１を参照すると、移動通信システムの無線アクセスネットワーク（ＲＡＮ）は、次世代基地局（ｅＮＢ、ｅＮｏｄｅ  Ｂ、Ｎｏｄｅ  Ｂ、又は基地局（ＢＳ））１０５，１１０，１１５，１２０、ＭＭＥ（Ｍｏｂｉｌｉｔｙ  Ｍａｎａｇｅｍｅｎｔ  Ｅｎｔｉｔｙ）１２５、及びＳ−ＧＷ（Ｓｅｒｖｉｎｇ−Ｇａｔｅｗａｙ）１３０を含む。ユーザー端末（ＵＥ又は移動局（ＭＳ））１３５は、ｅＮＢ１０５，１１０，１１５，１２０及びＳ−ＧＷ１３０を通じて外部ネットワーク（図示せず）に接続される。
【００２８】
ｅＮＢ１０５，１１０，１１５，１２０は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のＮｏｄｅ  Ｂに対応する。ｅＮＢは、ＵＥ１３５に接続され、既存のＮｏｄｅ  Ｂより複雑な役割をする。ＬＴＥシステムでは（インターネットプロトコル（ＩＰ）ベースの音声サービス又はＶｏＩＰ（Ｖｏｉｃｅ  ｏｖｅｒ  ＩＰ）のような）リアルタイムサービスを含むすべてのユーザートラフィックが共有チャンネルを介してサービスされるため、ＵＥに関する状態情報によるＵＥをスケジューリングするエンティティが必要である。ＵＥに関する状態情報は、ＵＥのバッファ状態、使用可能な送信電力状態、及びチャンネル状態を含む。このようなエンティティは、ｅＮＢ１０５，１１０，１１５，１２０である。通常、一つのｅＮＢは、複数のセルを制御する。
【００２９】
（１００Ｍｂｐｓのような）高速データレートを実現するために、ＬＴＥシステムは、２０ＭＨｚの帯域幅で直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）を無線接続技術を採用する。また、ＬＴＥシステムは、ＵＥのチャンネル状態による変調方式とチャンネル符号化レートを決定する適応変調符号化（Ａｄａｐｔｉｖｅ  Ｍｏｄｕｌａｔｉｏｎ  ａｎｄ  Ｃｏｄｉｎｇ：以下、ＡＭＣと称する）方式を使用する。
【００３０】
Ｓ−ＧＷ１３０は、データベアラを提供し、ＭＭＥ１２５の制御下にデータベアラを生成又は除去するように構成される。ＭＭＥ１２５は、ＵＥ１３５に対する移動管理機能及び他の制御機能を遂行するエンティティであり、複数のｅＮＢ１０５，１１０，１１５，１２０に接続される。
【００３１】
図２は、本発明の一実施形態によるＬＴＥシステムでの無線プロトコル構造を示す。
【００３２】
図２を参照すると、ＬＴＥシステムの無線プロトコル構造は、ＵＥとｅＮＢにおいて、各々ＰＤＣＰ（Ｐａｃｋｅｔ  Ｄａｔａ  Ｃｏｎｖｅｒｇｅｎｃｅ  Ｐｒｏｔｏｃｏｌ）階層２０５，２４０、ＲＬＣ（Ｒａｄｉｏ  Ｌｉｎｋ  Ｃｏｎｔｒｏｌ）階層２１０，２３５、ＭＡＣ（Ｍｅｄｉｕｍ  Ａｃｃｅｓｓ  Ｃｏｎｔｒｏｌ）階層２１５，２３０、及び物理階層２２０，２２５を含む。ＰＤＣＰ階層２０５，２４０は、ＩＰヘッダーを圧縮又は復元する。ＲＬＣ階層２１０，２３５は、ＰＤＣＰパケットデータユニット（ＰＤＵ）を適切なサイズで再構成してＡＲＱ（Ａｕｔｏｍａｔｉｃ  Ｒｅｐｅａｔ  ｒｅＱｕｅｓｔ）動作を遂行する。ＭＡＣ階層２１５，２３０は、ＵＥ又はｅＮＢに構成された複数のＲＬＣエンティティに接続される。このＭＡＣ階層２１５，２３０は、ＲＬＣ  ＰＤＵをＭＡＣ  ＰＤＵに多重化し、ＭＡＣ  ＰＤＵをＲＬＣ  ＰＤＵに逆多重化する。
【００３３】
ＰＨＹ階層２２０，２２５は、ＯＦＤＭシンボルの上位階層データをチャンネル符号化及び変調し、このＯＦＤＭシンボルを無線チャンネルを介して伝送する。また、ＰＨＹ階層２２０，２２５は、無線チャンネルを介して受信したＯＦＤＭシンボルを復調及びチャンネル復号化し、チャンネル復号化したシンボルを上位階層に提供し、データの送受信のためのＨＡＲＱ（Ｈｙｂｒｉｄ  ＡＲＱ）動作を実行する。ＰＨＹ階層２２０，２２５は、アップリンク（ＵＬ）データの伝送をサポートするために、ＰＵＳＣＨ（Ｐｈｙｓｉｃａｌ  Ｕｐｌｉｎｋ  Ｓｈａｒｅｄ  Ｃｈａｎｅｌ）、ＰＵＳＣＨ伝送に対するＨＡＲＱフィードバックとしてＡＣＫ（Ａｃｋｎｏｗｌｅｄｇｅｍｅｎｔ）／ＮＡＣＫ（Ｎｏｎ−Ａｃｋｎｏｗｌｅｄｇｅｍｅｎｔ）を伝送するＰＨＩＣＨ（Ｐｈｙｓｉｃａｌ  ＨＡＲＱ  Ｉｎｄｉｃａｔｏｒ  Ｃｈａｎｎｅｌ）、ダウンリンク（ＤＬ）制御信号（例えば、スケジューリング情報）を搬送するＰＤＣＣＨ（Ｐｈｙｓｉｃａｌ  Ｄｏｗｎｌｉｎｋ  Ｃｏｎｔｒｏｌ  Ｃｈａｎｎｅｌ）、又はＵＬ制御信号を搬送するＰＵＣＣＨ（Ｐｈｙｓｉｃａｌ  Ｕｐｌｉｎｋ  Ｃｏｎｔｒｏｌ  Ｃｈａｎｎｅｌ）を使用する。さらに、ＰＨＹ階層２２０，２２５は、ＤＬデータの伝送をサポートするためにＰＤＳＣＨ（Ｐｈｙｓｉｃａｌ  Ｄｏｗｎｌｉｎｋ  Ｓｈａｒｅｄ  Ｃｈａｎｎｅｌ）を使用できる。
【００３４】
図３は、本発明の一実施形態によるＵＥでのキャリアアグリゲーション（ＣＡ）の一例を示す。
【００３５】
図３を参照すると、ｅＮＢ３０５は、一般的に複数の周波数帯域にわたって多重キャリアを送信及び受信する。ｅＮＢ３０５が中心周波数（ｆ１）を有するキャリア３１５と中心周波数（ｆ３）を有するキャリア３１０を送信する場合、ＣＡ不可能なＵＥは、２つのキャリア３１０，３１５のうちいずれか一つを用いてデータを送受信することができる。一方、ＣＡ可能なＵＥ３３０は、同時に複数のキャリア３１０，３１５でデータを送受信できる。必要な場合、ｅＮＢ３０５は、ＣＡ可能なＵＥ３３０に対してより多くのキャリアを割り当てることによって、ＵＥ３３０の伝送レートを高めることができる。
【００３６】
一つのｅＮＢで送受信される一つのＤＬキャリアと一つのＵＬキャリアが一つのセルを形成する場合、ＣＡは、ＵＥが同時に複数のセルでデータを送受信すると理解することができる。データの最大伝送レートは、集積されたキャリアの数に比例して増加する。
【００３７】
以下、本発明の実施形態の説明において、ＵＥがＤＬキャリアを通じてデータを受信するか、あるいはＵＬキャリアを通じてデータを伝送することは、ＤＬ及びＵＬキャリアの中心周波数と周波数帯域に対応するセルにより提供される制御チャンネルとデータチャンネルを用いてデータを送受信することを意味する。特に、ＣＡは、本明細書では複数のサービングセルがＵＥに対して構成すると見なされる。各サービングセルは、プライマリサービングセル（ＰＣｅｌｌ）又はセカンダリサービングセル（ＳＣｅｌｌ）であり得る。ＣＡにおいて、一つのＰＣｅｌｌと一つ以上のＳＣｅｌｌは、ＵＥに対して構成することができる。これら用語は、ＬＴＥ標準による定義として使用される。その詳細において、２０１１年１２月バージョンの３ＧＰＰ  ＴＳ３６．３３１と３ＧＰＰ  ＴＳ３６．３２１を参照する。
【００３８】
本発明の実施形態では、説明の便宜のためにＬＴＥシステムのコンテキストで説明するが、本発明の実施形態は、ＣＡをサポートするすべての無線通信システムに適用することができる。
【００３９】
ＴＤＤモードでは、一つの周波数帯域は、特定のサブフレームの間にはＵＬに、他のサブフレームの間にはＤＬに使用される。ＵＥは、各ＵＬサブフレーム及びＤＬサブフレームの位置を正確に知るべきであり、ｅＮＢは、これらＵＬ及びＤＬサブフレームの位置に関する情報をＵＥに予め伝送する。
【００４０】
ＵＬ及びＤＬサブフレームに関する情報は、ＴＤＤ  ＵＬ／ＤＬ構成として称される。下記の＜表１＞は、本発明によるｅＮＢが提供されるＴＤＤ  ＵＬ／ＤＬ構成をリストする。ＴＤＤ  ＵＬ／ＤＬ構成により、各サブフレームは、ＵＬサブフレーム、ＤＬサブフレーム、又は特殊（ｓｐｅｃｉａｌ）サブフレームとして構成される。
【００４１】
【表１】
0006396918.tif 000002
【００４２】
＜表１＞において、‘Ｄ’はＤＬデータを伝送するために使用されるＤＬサブフレームを表し、‘Ｕ’はＵＬデータを伝送するために使用されるＵＬサブフレームを表し、‘Ｓ’はＤＬサブフレームとＵＬサブフレームとの間に介在する特殊サブフレームを表す。
【００４３】
特殊サブフレームを構成する理由は、ＵＥが、各ＵＥの位置に従ってＤＬサブフレームを全く受信するタイミング及びＵＬサブフレームを伝送するタイミングが異なるためである。例えば、ｅＮＢと離れているＵＥは、ｅＮＢからのデータをｅＮＢに近いＵＥより遅く受信する。したがって、リモートＵＥからのデータをｅＮＢが特定時間以内に受信するために、このリモートＵＥが近くのＵＥに比べて早くデータ送信を始めなければならない。すなわち、ある程度の保護期間（Ｇｕａｒｄ  Ｐｅｒｉｏｄ：ＧＰ）は、ＤＬデータ受信とＵＬデータ送信との間に必要であり、特殊サブフレーム内で定義される。一方、特殊サブフレームは、ＵＬサブフレームとＤＬサブフレームとの間に不要である。
【００４４】
図４は、本発明の一実施形態によるＴＤＤフレーム構造の一例を示す。
【００４５】
図４を参照すると、１０ｍｓのラジオフレーム４００は、１０個のサブフレームに分けられる。各ラジオフレーム４００は、０から４０９５との間の整数のようなシステムフレーム番号（ＳＦＮ）により識別される。ＳＦＮは、一つのラジオフレームが経過する度に１ずつ増加する。各サブフレーム４０５は、１ｍｓであり、２つのスロットで構成される。特殊サブフレームは、ＤｗＰＴＳ（Ｄｏｗｎｌｉｎｋ  Ｐｉｌｏｔ  Ｔｉｍｅ  Ｓｌｏｔ）４１０、ＧＰ４２５、及びＵｐＰＴＳ（Ｕｐｌｉｎｋ  ｐｉｌｏｔ  Ｔｉｍｅ  ｓｌｏｔ）４２０の３部分に分けられる。ＤｗＰＴＳ４１０はＤＬ受信のための時間区間であり、ＵｐＰＴＳ４２０はＵＬ送信のための時間区間である。ＧＰ４２５では、いかなる送受信もなされない。
【００４６】
ＤｗＰＴＳ４１０とＵｐＰＴＳ４２０の最適の長さは、伝搬環境によって変わる。ｅＮＢは、ＤｗＰＴＳ４１０とＵｐＰＴＳ４２０の適切の長さを予め端末に知らせることができる。ｅＮＢは、タイプ１のシステム情報ブロック（ＳＩＢ１）のＴＤＤ構成された情報要素（ＩＥ）で＜表１＞のＴＤＤ  ＵＬ／ＤＬ構成と＜表２＞のＤｗＰＴＳとＵｐＰＴＳの長さをＵＥにブロードキャストする。
【００４７】
【表２】
0006396918.tif 000003
【００４８】
＜表２＞に示すように、ＤｗＰＴＳとＵｐＰＴＳの長さは、ｅＮＢにより指示される特殊サブフレーム構成とＤＬ及びＵＬに使用される巡回プレフィックス（ＣＰ）のタイプに従って、シンボル長さ（Ｓｙｍｂｏｌ  Ｄｕｒａｔｉｏｎ）Ｔｓの倍数として設定され得る。
【００４９】
一つのｅＮＢが複数のＴＤＤサービングセルを提供する場合、複数のＴＤＤサービングセルに異なるＴＤＤ  ＵＬ／ＤＬ構成を適用することによって、既存システムとの互換性が保証され、より良いロードバランシングを提供することができる。例えば、３Ｇ移動通信システムのＴＤＤセルとＬＴＥ移動通信システムのＴＤＤセルが同一の領域で提供され、２つのセルの動作周波数が相互に近接した場合において、ＬＴＥ  ＴＤＤセルに特定ＵＬ／ＤＬ構成を適用することによって、３Ｇ  ＴＤＤセルとＬＴＥ  ＴＤＤセルとの間の干渉を最小化できる。同時に、ＬＴＥ  ＴＤＤセルと異なるＵＬ／ＤＬ構成は、３Ｇ  ＴＤＤセルの動作周波数から顕著に離隔された動作周波数を有するＬＴＥ  ＴＤＤセルに適用され、それによって効率性を増加させることができる。
【００５０】
上記のように、（複数のＵＬ／ＤＬ構成のような）異なるＵＬ／ＤＬ構成が同一のｅＮＢの複数のサービングセルに適用される場合、サービングセルに接続される端末は、所定の時区間でサービングセル間に異なるタイプのサブフレームを経験することができる。
【００５１】
図５は、本発明の一実施形態による異なるＴＤＤ  ＵＬ／ＤＬ構成を有するセルを示す。図５を参照すると、第１のサービングセル（サービングセル１）と第２のサービングセル（サービングセル２）がＵＥに対して構成され、ＵＬ／ＤＬ構成１及びＵＬ／ＤＬ構成２は、各々サービングセル１及びサービングセル２に適用される場合、サービングセル１のＵＬサブフレーム（以下、‘Ｕサブフレーム’と称する）とサービングセル２のＤＬサブフレーム（以下、‘Ｄサブフレーム’と称する）は、時区間５０５で発生する。時区間５０５でＵＥがサービングセル１でＵＬ送信を遂行してサービングセル２でＤＬ受信を遂行することが望ましいが、ＵＬ送信及びＤＬ受信は、場合に従ってこのような動作が不可能であり得る。
【００５２】
基本的に、ＵＥは、ＴＤＤシステムでＵＬ送信とＤＬ受信を同時に遂行する必要がない。それによって、ＴＤＤ  ＵＥのＲＦ（Ｒａｄｉｏ  Ｆｒｅｑｕｅｎｃｙ）回路は、一つの時区間でＤＬ動作及びＵＬ動作のうち一つのみを遂行するように、すなわちハーフデュプレックス（Ｈａｌｆ−Ｄｕｐｌｅｘ：ＨＤ）で動作するように設計される。したがって、ＵＬ及びＤＬ動作を同時遂行可能なフルデュプレックス（ＦＤ）機能を具備しない一般的なＴＤＤ  ＵＥは、時区間５０５でＤＬ受信及びＵＬ送信のうちいずれか一つのみの遂行を可能にする。
【００５３】
後述する本発明の実施形態では、上記のような状況で、ＵＥとｅＮＢが同一の方向の動作を遂行して円滑な通信が可能にする方法及び装置を提供する。
【００５４】
本発明の実施形態により、ＵＥ及びｅＮＢは、以下のように動作できる。
−異なるＵＬ／ＤＬ構成がＰＣｅｌｌ及びＳＣｅｌｌに割り当てられる場合、ハーフデュプレックスＵＥは、ＰＣｅｌｌのサブフレーム（以下、“ＰＣｅｌｌサブフレーム”と称する）と方向が異なるように指定されるＳＣｅｌｌのサブフレーム（以下、“ＳＣｅｌｌサブフレーム”と称する）に関連した動作は遂行しない。
−異なるＵＬ／Ｄｌ構成がＰＣｅｌｌ及びＳＣｅｌｌに割り当てられる場合、ハーフデュプレックスＵＥは、ＰＣｅｌｌのＵＬ／ＤＬ構成に基づいて、ＰＵＳＣＨ伝送に対するＰＨＩＣＨを受信するＳＣｅｌｌサブフレームを決定する。
−異なるＵＬ／ＤＬ構成がＰＣｅｌｌ及びＳＣｅｌｌに割り当てられる場合、ハーフデュプレックスＵＥは、ＰＣｅｌｌのＵＬ／ＤＬ構成に基づいて、ＰＵＳＣＨを伝送するＳＣｅｌｌサブフレームを決定する。
【００５５】
図６は、本発明の一実施形態によるＵＥの動作を示す。
【００５６】
図６を参照すると、ＰＣｅｌｌ６０３とＳＣｅｌｌ６０５のように、異なるＴＤＤ  ＵＬ／ＤＬ構成を有するサービングセルは、ＣＡによりＵＥ６０１に対して構成される。同一のｅＮＢは、ＵＥ６０１が初期にＰＣｅｌｌ６０３のみに接続される間にＰＣｅｌｌ６０３及びＳＣｅｌｌ６０５を管理する。
【００５７】
ＰＣｅｌｌ６０３は、ステップ６１１で、ＵＥ６０１によりサポートされる機能を確認するためにＵＥＣａｐａｂｉｌｉｔｙＥｎｑｕｉｒｙメッセージをＵＥ６０１に伝送する。すなわち、ｅＮＢは、ＰＣｅｌｌ６０３でＵＥＣａｐａｂｉｌｉｔｙＥｎｑｕｉｒｙメッセージをＵＥ６０１に伝送する。ＵＥ６０１は、ステップ６１３で、自身がサポートする機能をＰＣｅｌｌ６０３でＵＥＣａｐａｂｉｌｉｔｙＥｎｑｕｉｒｙメッセージを伝送してｅＮＢに指示する。ＵＥ６０１は、自身によりサポートされるバンド組み合わせをＵＥＣａｐａｂｉｌｉｔｙＥｎｑｕｉｒｙメッセージの‘サポートされるバンド組み合わせ’ＩＥに設定して報告する。
【００５８】
‘サポートされるバンド組み合わせ’ＩＥは、一つ以上のバンドパラメータを含む。バンドパラメータのうちいずれか一つは、バンドインジケータ、バンド組み合わせの該当バンドで設定可能なサービングセルの個数と帯域幅、設定可能なＭＩＭＯ（Ｍｕｌｔｉｐｌｅ  Ｉｎｐｕｔ  Ｍｕｌｔｉｐｌｅ  Ｏｕｔｐｕｔ）情報を含む。さらに、サポートするバンド組み合わせのうち所定の条件を満たすバンド組み合わせに対して、同時に送受信の可能性を指示する１ビット情報が報告される。所定の条件は、例えば、バンド組み合わせがＴＤＤバンドのみを含み、ＴＤＤバンドは異なることがあり得る。
【００５９】
例えば、ＵＥが下記の＜表３＞のようにサポートされるバンド組み合わせ１〜１０を報告する場合に、ＵＥは、バンド組み合わせ９及び１０のみに対して、同時送受信の可能性を示す１ビット情報を設定する。＜表３＞において、‘バンドＦＤＤ’はＦＤＤでＬＴＥ周波数帯域を、‘バンドＴＤＤ’は、ＴＤＤでＬＴＥ周波数帯域を意味する。例えば、ＬＴＥ周波数帯域のうち、バンド１〜３２はＦＤＤ周波数帯域であり、バンド３３〜６４はＴＤＤ周波数帯域である。
【００６０】
【表３】
0006396918.tif 000004
【００６１】
ＵＥは、所定の条件を満たす各‘サポートされるバンド組み合わせ’に対して、１ビット情報によりバンド組み合わせで同時送受信が可能であるか否かを報告する。１ビット情報は、ビットマップに構成され得る。例えば、＜表３＞では、ＵＥは、バンド組み合わせ９，１０のための２ビットの意味のある情報を有するビットマップを報告する。ビットマップの各ビットは、ＵＥＣａｐａｂｉｌｉｔｙＥｎｑｕｉｒｙメッセージに含まれる順に所定の条件を満たすバンド組み合わせを意味する。＜表３＞の例において、ビットマップの第１のビット及び第２のビットは、各々バンド組み合わせ９及びバンド組み合わせ１０で同時送受信の可能性を示す。
【００６２】
ＵＥが特定ＴＤＤバンド組み合わせに対して同時送受信が可能であることを報告する場合、ＵＥは、バンド組み合わせに対して異なるＵＬ／ＤＬ構成が割り当てられ、一つの時区間でＵＬ／ＤＬ構成による時区間でサブフレームの方向が異なっても、ＤＬ受信とＵＬ送信を同時に遂行することができる。
【００６３】
一方、ＵＥが特定ＴＤＤバンド組み合わせに対して同時に送受信が可能でないと報告した場合、バンド組み合わせに対して異なるＵＬ／ＤＬ構成が割り当てられ、一つの時区間で設定されたＵＬ／ＤＬ構成によるサブフレーム方向が異なると、ＵＥは、ＤＬ受信とＵＬ送信のうち一つのみを遂行しなければならない。
【００６４】
ｅＮＢは、ＵＥＣａｐａｂｉｌｉｔｙＩｎｆｏｒｍａｔｉｏｎ情報メッセージに基づいてＵＥに必要な設定を適用する。例えば、ＵＥが所定のバンド組み合わせでＣＡをサポートし、ｅＮＢにバンド組み合わせのバンドでオペレーティングされるサービングセルが存在する場合、ｅＮＢは、ＵＥにバンド組み合わせに該当するＣＡを構成できる。すなわち、ｅＮＢは、バンド組み合わせに該当する複数のサービングセルをＵＥに構成できる。
【００６５】
ｅＮＢは、ステップ６１５で、ＵＥ６０１に複数のＴＤＤサービングセルを構成する制御メッセージを伝送する。制御メッセージは、ＲＲＣＣｏｎｎｅｃｔｉｏｎＲｅｃｏｎｆｉｇｕｒａｔｉｏｎメッセージであり得る。ＳＣｅｌｌ６０５は、制御メッセージによりＵＥ６０１に追加される。ＵＥ６０１は、ＰＣｅｌｌのＵＬ／ＤＬ構成をＰＣｅｌｌ６０３でブロードキャストされるシステム情報（例えば、ＳＩＢ１）を通じて認知され、ＳＣｅｌｌ６０５のＵＬ／ＤＬ構成は、ＳＣｅｌｌ６０５を構成する制御メッセージにより認知される。
【００６６】
ＵＥ６０１は、ステップ６１７で、ＲＲＣＣｏｎｎｅｃｔｉｏｎＲｅｃｏｎｆｉｇｕｒａｔｉｏｎメッセージに基づいてｅＮＢにより要求される設定手順（すなわち、ＳＣｅｌｌ６０５に対するＲＲＣ接続の設定）を遂行して、ｅＮＢにＲＲＣ接続設定手順の完了を表すＲＲＣＣｏｎｎｅｃｔｉｏｎＲｅｃｏｎｆｉｇｕｒａｔｉｏｎＣｏｍｐｌｅｔｅメッセージを伝送する。すると、ｅＮＢは、ステップ６１９で、所定の時点で構成されたＳＣｅｌｌ６０５に対して活性化（Ａｃｔｉｖａｔｉｏｎ）命令をＵＥ６０１に伝送する。この活性化命令は、活性化／非活性化ＭＡＣ制御要素（Ｃｏｎｔｒｏｌ  Ｅｌｅｍｅｎｔ：ＣＥ）メッセージであり得る。
【００６７】
ＵＥ６０１は、ステップ６２５で、以後の時区間でＳＣｅｌｌ６０５の動作を判定するためにＰＣｅｌｌ６０３のＵＬ／ＤＬ構成を参照する。具体的に、ＵＥ６０１は、＜表４＞に示すようにサブフレームごとに動作する。すなわち、ＰＣｅｌｌ６０３のＵＬ／ＤＬ構成によるＰＣｅｌｌサブフレームの方向がＳＣｅｌｌ６０５のＵＬ／ＤＬ構成によるＳＣｅｌｌサブフレームの方向が異なる場合、ＵＥ６０１は、ＰＣｅｌｌ６０３のＵＬ／ＤＬ構成に基づいてＳＣｅｌｌ６０５で遂行する動作を決定する。
【００６８】
【表４】
0006396918.tif 000005
【００６９】
現在時区間に該当するＰＣｅｌｌサブフレーム及びＳＣｅｌｌサブフレームがＤサブフレームである場合、ＵＥは、現在時区間（すなわち、ＰＣｅｌｌ及びＳＣｅｌｌの同一のサブフレーム）で２つのサービングセル両方ともに対してＤＬ受信を遂行する。すなわち、ＵＥは、２つのサービングセルに対して現在サブフレーム内の制御領域のＰＤＣＣＨとＰＨＩＣＨを受信し、このデータ領域のＰＤＳＣＨを受信する。同様に、ｅＮＢは、２つのサービングエルの現在サブフレーム内の制御領域でＰＤＣＣＨとＰＨＩＣＨをＵＥに伝送し、上記データ領域でＰＤＳＣＨを伝送する。
【００７０】
現在の時区間に該当するＰＣｅｌｌサブフレーム及びＳＣｅｌｌサブフレームが各々Ｄサブフレーム及びＳサブフレームである場合、ＵＥは、現在時区間でＰＣｅｌｌに対してＰＤＣＣＨ／ＰＨＩＣＨ／ＰＤＳＣＨ受信を含むＤ−サブフレーム動作を実行し、ＳＣｅｌｌに対してはＤｗＰＴＳ受信を含むＤＬ動作を実行する。ＤｗＰＴＳ受信は、現在サブフレームのうち、時間軸上で所定の開始時区間のみでＤＬ信号が受信されることを意味する。ＰＤＳＣＨがサブフレームの最後の区間まで占有可能であるため、ＵＥは、ＰＤＳＣＨを除き、ＰＤＣＣＨ及びＰＨＩＣＨのみを受信することができる。上記のような状況、すなわち同一の時区間でＰＣｅｌｌサブフレームがＤサブフレームであり、ＳＣｅｌｌサブフレームがＳサブフレームである場合、ｅＮＢは、ＳＣｅｌｌサブフレームでＵＥにＰＤＳＣＨをスケジューリングせず、ＳＣｅｌｌサブフレームのＤｗＰＴＳでＰＤＣＣＨとＰＨＩＣＨのみを伝送する。
【００７１】
現在の時区間に該当するＰＣｅｌｌサブフレーム及びＳＣｅｌｌサブフレームが各々Ｄサブフレーム及びＵサブフレームである場合、ＵＥは、現在時区間でＰＣｅｌｌではＤサブフレームに対する動作、すなわちＰＤＣＣＨ／ＰＨＩＣＨ／ＰＤＳＣＨ受信を遂行し、ＳＣｅｌｌに対してはＵＬ送信がスケジューリングされてもＵＬ送信を遂行しない。したがって、ｅＮＢは、上記した状況でＵＬ受信を遂行しない。
【００７２】
現在の時区間に該当するＰＣｅｌｌサブフレーム及びＳＣｅｌｌサブフレームが各々Ｓサブフレーム及びＤサブフレームである場合、ＵＥは、  現在時区間でＰＣｅｌｌに対してＳ−サブフレーム動作を実行する。すなわち、ＵＥは、ＰＣｅｌｌサブフレームのＤｗＰＴＳでＰＤＣＣＨ／ＰＨＩＣＨを受信し、ＰＣｅｌｌサブフレームのＧＰＳで送受信を中止し、必要であれば、ＵｐＰＴＳでＵＬ送信（すなわち、ＳＲＳ（Ｓｏｕｎｄｉｎｇ  Ｒｅｆｅｒｅｎｃｅ  Ｓｉｇｎａｌ））を遂行する。また、ＵＥは、現在時区間で、ＳＣｅｌｌサブフレームとＰＣｅｌｌサブフレームのＤｗＰＴＳ間が重なる時区間のみでＳＣｅｌｌサブフレームのＤＬ信号を受信する。すなわち、ＵＥは、ＰＤＳＣＨを除き、ＳＣｅｌｌでＰＤＣＣＨとＰＨＩＣＨを受信する。この状況で、ＰＣｅｌｌサブフレームはＳサブフレームであり、ＳＣｅｌｌサブフレームはＤサブフレームである場合、ｅＮＢは、ＳＣｅｌｌサブフレームでＰＤＳＣＨをスケジューリングせず、ＰＣｅｌｌサブフレームのＤｗＰＴＳでＤＬ送信のみを遂行する。
【００７３】
現在の時区間に該当するＰＣｅｌｌサブフレーム及びＳＣｅｌｌサブフレームがＳサブフレームである場合、ＵＥは、現在時区間でＰＣｅｌｌのＳサブフレーム動作を遂行する。すなわち、ＵＥは、ＰＣｅｌｌサブフレームのＤｗＰＴＳでＰＤＣＣＨ／ＰＨＩＣＨを受信し、ＧＰで送受信を中止し、必要な場合、ＵｐＰＴＳでＵＬ送信、例えばＳＲＳ伝送を遂行する。さらに、ＵＥは、ＳＣｅｌｌサブフレームとＰＣｅｌｌサブフレームのＤｗＰＴＳの間に重なる時区間のみでＳＣｅｌｌサブフレームでＤＬ信号を受信する。すなわち、ＵＥは、ＰＤＳＣＨを除き、ＳＣｅｌｌサブフレームでＰＤＣＣＨとＰＨＩＣＨを受信する。ＵＥは、ＰＣｅｌｌ及びＳＣｅｌｌサブフレームのＧＰと重なる時区間で、ＳＣｅｌｌサブフレームで送受信を中止する。必要であれば、ＵＥは、ＳＣｅｌｌサブフレームのＵｐＰＴＳと重なるＳＣｅｌｌサブフレームのＵｐＰＴＳでＵＬ送信を遂行できる。ＵＬ送信は、ＳＣｅｌｌサブフレームのＵｐＰＴＳがＰＣｅｌｌサブフレームのＵｐＰＴＳと重なる程度に従って遂行される。したがって、ＵＬ送信は、選択的に遂行される。ｅＮＢは、この状況で、ＳＣｅｌｌサブフレームのＵｐＰＴＳでＳＲＳを受信するように試し、ＤｗＰＴＳでＰＨＩＣＨを伝送し、ＧＰでＵＥに対する送受信が発生しないことを認識する。
【００７４】
現在の時区間に該当するＰＣｅｌｌサブフレーム及びＳＣｅｌｌサブフレームが各々Ｓサブフレーム及びＵサブフレームである場合、ＵＥは、現在時区間で、ＰＣｅｌｌに対してＳサブフレーム動作を実行し、ＳＣｅｌｌに対してはＰＵＣＣＨ及びＰＵＳＣＨの伝送なしに、ＳＲＳを条件付き伝送を実行する。すなわち、ＳＣｅｌｌのＵサブフレームにＳＲＳ伝送がスケジューリングされ、ＳＣｅｌｌのＵサブフレームのうちＰＣｅｌｌのＵｐＰＴＳと重なる部分が所定値（例えば、１ＯＦＤＭシンボル区間）以上である場合、ＵＥは、ＳＣｅｌｌ  ＵサブフレームでＳＲＳを伝送し、そうでない場合には、ＳＲＳを伝送しない。この状況で、ｅＮＢは、ＳＣｅｌｌのＵサブフレームとＰＣｅｌｌ  ＳサブフレームのＵｐＰＴＳとの間に重なる時区間でＵＥからＳＲＳを受信するように試みる。
【００７５】
現在の時区間に該当するＰＣｅｌｌサブフレーム及びＳＣｅｌｌサブフレームが各々Ｕサブフレーム及びＤサブフレームである場合、ＵＥは、ＰＣｅｌｌサブフレームでＵサブフレームに対する動作を遂行する。すなわち、ＵＥは、ＰＣｅｌｌでＰＵＣＣＨ又はＰＵＳＣＨ伝送がスケジューリングされる場合、ＰＣｅｌｌサブフレームでＰＵＣＣＨ又はＰＵＳＣＨを伝送する。しかしながら、この場合、ＵＥは、現在時区間でＳＣｅｌｌに対してＤＬ信号を受信しない。すなわち、ＵＥは、ＳＣｅｌｌサブフレームでＰＤＣＣＨ／ＰＨＩＣＨ／ＰＤＳＣＨを受信しない。このとき、ｅＮＢは、ＰＣｅｌｌサブフレームがＵサブフレームであり、ＳＣｅｌｌサブフレームがＤサブフレームである場合、ＳＣｅｌｌに対してＰＤＳＣＨをスケジューリングしない。
【００７６】
現在の時区間に該当するＰＣｅｌｌサブフレーム及びＳＣｅｌｌサブフレームが各々Ｕサブフレーム及びＳサブフレームである場合、ＵＥは、現在時区間でＰＣｅｌｌに対してＵサブフレーム動作を遂行し、必要な場合に、ＳＣｅｌｌサブフレームのＵｐＰＴＳでＵＬ信号を伝送する。すなわち、ＵＥは、ＳＲＳ伝送がＳＣｅｌｌのＳサブフレームでスケジューリングされる場合、ＳＲＳを伝送し、ＳＣｅｌｌ  ＳサブフレームのＤｗＰＴＳででＤＬ信号を受信しない。この状況で、ｅＮＢは、ＰＣｅｌｌのＵサブフレームとＳＣｅｌｌのＳサブフレームのＵｐＰＴＳ間の重なる時区間でＵＥからＳＲＳを受信するために試み、ＤｗＰＴＳではＵＥにＤＬ信号を伝送しない。
【００７７】
現在の時区間に該当するＰＣｅｌｌサブフレーム及びＳＣｅｌｌサブフレームがＵサブフレームである場合、ＵＥは、現在時区間でＰＣｅｌｌとＳＣｅｌｌの両方ともにＵサブフレーム動作を実行する。すなわち、ＵＥは、必要な場合、ＰＵＳＣＨとＰＵＣＣＨを伝送する。ｅＮＢは、上記した状況で、ＳＣｅｌｌのＵサブフレームでＵＥからＰＵＳＣＨを受信するように試みる。
【００７８】
ＵＥ６０１は、ステップ６３０で、ＰＣｅｌｌ６０３のＵＬ／ＤＬ構成に基づいてＰＵＳＣＨ伝送時点を判定する。ＰＵＳＣＨ伝送時点は、ＰＵＳＣＨを伝送するサブフレームの位置を意味する。ＵＥ６０１は、一般的にサービングセルでＰＵＳＣＨの伝送においてサービングセルのＵＬ／ＤＬ構成を参照する。例えば、サブフレームｎでＰＵＳＣＨ伝送を指示するＰＤＣＣＨを受信するか、あるいはＨＡＲＱ  ＮＡＣＫ信号を受信する場合、ＵＥは、サブフレームｎ＋ｍでＰＵＳＣＨを伝送する。ここで、ｎとｍは、各々ＵＬ／ＤＬ構成に対して定義される。
【００７９】
フルデュプレックスＵＥ又は同一のＵＬ／ＤＬ構成下でＣＡで動作するＵＥは、サービングセルのＵＬ／ＤＬ構成に基づき、ＰＵＳＣＨ伝送時点、ＨＡＲＱフィードバック受信時点、及びＰＵＳＣＨ再転送時点を判定する。複数のＵＬ／ＤＬ構成下で動作するハーフデュプレックスＵＥは、ＰＵＳＣＨが伝送される該当サービングセルのＵＬ／ＤＬ構成の代わりに、ＰＣｅｌｌのＵＬ／ＤＬ構成に基づいてサービングセル間のタイミング関係を決定する。
【００８０】
ＵＥ６０１は、ステップ６３５で、ＳＣｅｌｌで伝送したＰＵＳＣＨに対するＨＡＲＱフィードバックを受信するサブフレームの判定において、ＰＣｅｌｌ６０３のＵＬ／ＤＬ構成を参照する。これは、ＳＣｅｌｌのＵＬ／ＤＬ構成を参照して決定するＰＨＩＣＨ受信のためのサブフレームがＰＣｅｌｌのＵサブフレームと重複される場合に、ＰＨＩＣＨを受信できないためである。
【００８１】
図７は、本発明の一実施形態によるＳＣｅｌｌサブフレームでＵＥの動作を示すフローチャートである。
【００８２】
図７を参照すると、ステップ７００で、ＵＥは、サービングセルに関するシステム情報を受信し、このシステム情報からサービングセルのＵＬ／ＤＬ構成を取得する。その後、ＵＥは、サービングセルに対してＲＲＣ接続設定手順を開始する。ＲＲＣ接続設定手順が完了すると、サービングセルは、ＵＥのＰＣｅｌｌとなる。
【００８３】
ステップ７０５で、ＵＥは、ｅＮＢに性能情報メッセージを通じて性能を報告する。ＵＥ性能情報メッセージは、ＵＥがサポートするバンド組み合わせ情報を含み、ＵＥは、異なるＴＤＤバンドで構成されたバンド組み合わせ（以下、‘ＴＤＤ間バンド組み合わせ’と称する）で同時送受信が可能であるか否かを表す情報を追加して報告する。
【００８４】
ステップ７１０で、ＳＣｅｌｌがＵＥに構成される。ＳＣｅｌｌは、ｅＮＢからＵＥにＳＣｅｌｌ構成情報を含むＲＲＣ制御メッセージを伝送し、ＵＥによりＳＣｅｌｌ構成情報に従ってＳＣｅｌｌの信号経路を設定することによって構成される。ＳＣｅｌｌ構成情報は、例えばＳＣｅｌｌの中心周波数、ＳＣｅｌｌでＵＥに割り当てられる無線リソース、及びＳＣｅｌｌのＵＬ／ＤＬ構成に関する情報を含む。各ＳＣｅｌｌは、活性化状態又は非活性化状態にある。データ送受信は、活性化状態のＳＣｅｌｌのみで可能である。ＳＣｅｌｌが最初に構成される場合、ＳＣｅｌｌは、非活性化状態にある。その後、ＳＣｅｌｌは、ｅＮＢからの指示によって活性化状態に切り替えられる。
【００８５】
ステップ７１５で、ＵＥは、ＳＣｅｌｌのサブフレームｎで遂行する動作を決定するために、ＳＣｅｌｌのサブフレームｎが開始されるまで待機する。
【００８６】
ステップ７２０で、ＵＥは、次の条件を満たすか否かを確認する。
−ＰＣｅｌｌ及びＳＣｅｌｌは、異なる周波数帯域を有する（バンド間ＴＤＤキャリアアグリゲーション）。
−ＰＣｅｌｌ及びＳＣｅｌｌは、異なるＵＬ／ＤＬ構成を有する。
【００８７】
上記の条件を満たすと、ＵＥは、ステップ７３０に進行し、そうでない場合にはステップ７２５に進行する。上記の条件を満足させない場合、これは、ＰＣｅｌｌ及びＳＣｅｌｌが同一の周波数帯域を有し、あるいはＰＣｅｌｌ及びＳＣｅｌｌが異なる周波数帯域を有してもＵＬ／ＤＬ構成が同一であることを意味する。ＰＣｅｌｌ及びＳＣｅｌｌが同一の周波数帯域を有する場合、同一のＵＬ／ＤＬ構成は、ＰＣｅｌｌ及びＳＣｅｌｌに割り当てられなければならない。
【００８８】
ステップ７２５で、ＵＥは、ＳＣｅｌｌのＵＬ／ＤＬ構成に基づいてＳＣｅｌｌサブフレームｎのタイプを決定し、このＳＣｅｌｌサブフレームｎのタイプに従って遂行する動作を決定する。ＵＥは、サブフレームのタイプに従って次のように動作する。
−サブフレームｎがＤサブフレームである場合、ＵＥは、サブフレームｎでＰＤＣＣＨ／ＰＨＩＣＨ／ＰＤＳＣＨを受信することに決定する。
−サブフレームｎがＳサブフレームである場合、ＵＥは、サブフレームｎでＰＤＣＣＨ／ＰＨＩＣＨを受信し、必要な場合に、ＵｐＰＴＳ伝送を遂行することに決定する。
−サブフレームｎがＵサブフレームである場合、ＵＥは、サブフレームｎで、必要な場合、ＰＵＳＣＨとＳＲＳを伝送することに決定する。
【００８９】
上記した動作は、ＵＥに適用される他のソリューション又は要求事項によって制限することがある。例えば、サブフレームｎが不連続受信（Ｄｉｓｃｏｎｔｉｎｕｏｕｓ  Ｒｅｃｅｐｔｉｏｎ：ＤＲＸ）動作上の活性化時間が異なり、あるいは非サービング周波数に対する測定を遂行する時区間を意味する測定ギャップ（ＭＧ）と重なる場合に、上記動作は実行されない。測定ギャップでは、ＵＥは、アップリンク送信及びダウンリンク受信を中断した後に、非サービング周波数に対する測定を遂行することができる。
【００９０】
一方、上記条件を満足する場合、これは、ＰＣｅｌｌ及びＳＣｅｌｌが異なる周波数帯域及び異なるＵＬ／ＤＬ構成を有することを意味する。ステップ７３０で、ＵＥは、現在バンド組み合わせ（すなわち、ＰＣｅｌｌ及びＳＣｅｌｌの周波数帯域の組み合わせ）に対して同時送受信が可能であるか否かを判定する。あるいは、ＵＥは、現在バンド組み合わせに対して同時送受信が可能であることを示す情報をｅＮＢに報告したか否かを判定する。この判定結果が肯定である場合、ＵＥは、ステップ７２５に進行し、そうでないと、ステップ７３５に進行する。
【００９１】
ステップ７３５で、ＵＥは、ＳＣｅｌｌのサブフレームｎと重なるＰＣｅｌｌサブフレームのタイプに従ってＳＣｅｌｌサブフレームｎで遂行する動作を決定する。通常、ＰＣｅｌｌとＳＣｅｌｌのフレーム境界が整列されているため、ＰＣｅｌｌサブフレームｎは、ＳＣｅｌｌのサブフレームｎと重なる。
【００９２】
図８は、本発明の一実施形態によるＳＣｅｌｌのフィードバック受信時点とＰＵＳＣＨ再転送時点を判定するＵＥの動作を示すフローチャートである。
【００９３】
図８を参照すると、ステップ８００で、ＵＥは、サービングセルに関するシステム情報を受信し、このシステム情報からサービングセルのＵＬ／ＤＬ構成を取得する。その後、ＵＥは、サービングセルに対してＲＲＣ接続設定手順を開始する。ＲＲＣ接続設定手順が完了すると、サービングセルは、ＵＥのＰＣｅｌｌとなる。
【００９４】
ステップ８０５で、ＵＥは、ｅＮＢにＵＥ性能情報メッセージを通じて性能を報告する。ＵＥ性能情報メッセージは、ＵＥがサポートするバンド組み合わせ情報を含み、ＵＥは、ＴＤＤ間バンド組み合わせに対する同時送受信の可能性を表す情報を追加して報告する。
【００９５】
ステップ８１０で、ＳＣｅｌｌはＵＥに構成される。ＳＣｅｌｌは、ｅＮＢからＵＥにＳＣｅｌｌ構成情報を含むＲＲＣ制御メッセージを伝送し、ＵＥによりＳＣｅｌｌ構成情報に従ってＳＣｅｌｌの信号経路を設定することによって構成される。ＳＣｅｌｌ構成情報は、例えばＳＣｅｌｌの中心周波数、ＳＣｅｌｌでＵＥに割り当てられる無線リソース、及びＳＣｅｌｌのＵＬ／ＤＬ構成に関する情報を含む。
【００９６】
ステップ８１５で、ＵＥは、ＳＣｅｌｌサブフレームｎでＰＵＳＣＨを伝送する。その後、ＵＥは、ステップ８２０に進行し、ＰＵＳＣＨ伝送に対するＨＡＲＱフィードバックが受信されるサブフレーム及びＨＡＲＱフィードバックがＮＡＣＫである場合、ＰＵＳＣＨが再伝送されるサブフレームを判定する。
【００９７】
ステップ８２０で、ＵＥは、下記の条件を満たすか否かを確認する。
−ＰＣｅｌｌ及びＳＣｅｌｌは、異なる周波数帯域を有する（バンド間ＴＤＤキャリアアグリゲーション）。
−ＰＣｅｌｌ及びＳＣｅｌｌは、異なるＵＬ／ＤＬ構成を有する。
【００９８】
上記の条件を満たすと、ＵＥは、ステップ８３０に進行し、そうでない場合にはステップ８２５に進行する。上記の条件を満足させない場合、これは、ＰＣｅｌｌ及びＳＣｅｌｌが同一の周波数帯域を有し、あるいはＰＣｅｌｌ及びＳＣｅｌｌが異なる周波数帯域を有してもＵＬ／ＤＬ構成が同一であることを意味する。ＰＣｅｌｌ及びＳＣｅｌｌが同一の周波数帯域を有する場合、同一のＵＬ／ＤＬ構成は、ＰＣｅｌｌ及びＳＣｅｌｌに割り当てられなければならない。ステップ８２５で、ＵＥは、ＳＣｅｌｌのＵＬ／ＤＬ構成に基づき、ＳＣｅｌｌサブフレームｎで伝送されるＰＵＳＣＨ伝送に対するＰＨＩＣＨを受信するサブフレーム及びＰＵＳＣＨ再伝送を遂行するサブフレームの位置を判定する。ＰＨＩＣＨ受信時点及びＰＵＳＣＨ再伝送時点は、ＵＬ／ＤＬ構成によって標準で定義される。例えば、ＵＥがサブフレームｎでＨＡＲＱフィードバックとしてＮＡＣＫを受信する場合、ＵＥは、サブフレームｎ＋ｋでＰＵＳＣＨを再伝送する。例えば、ｋは、＜表５＞に示すように、ＵＬ／ＤＬ構成及びＰＨＩＣＨが受信されたサブフレームの番号によって決定される。
【００９９】
【表５】
0006396918.tif 000006
【０１００】
上記の条件を満足する場合、これは、ＰＣｅｌｌ及びＳＣｅｌｌが異なる周波数帯域及び異なるＵＬ／ＤＬ構成を有することを意味する。ステップ８３０で、ＵＥは、現在バンド組み合わせに対して同時送受信が可能であるか否かを判定する。あるいは、ＵＥは、現在バンド組み合わせに対して同時送受信が可能であることを示す情報をｅＮＢに報告したか否かを判定する。この判定結果が肯定である場合、ＵＥは、ステップ８２５に進行し、そうでないと、ステップ８３５に進行する。
【０１０１】
ステップ８３５で、ＵＥは、ＳＣｅｌｌのＵＬ／ＤＬ構成の代わりに、ＰＣｅｌｌのＵＬ／ＤＬ構成に基づいてＰＨＩＣＨ受信時点とＰＵＳＣＨ再伝送時点を判定する。例えば、ＵＬ／ＤＬ構成４はＳＣｅｌｌに割り当てられ、ＵＬ／ＤＬ構成６がＰＣｅｌｌに割り当てられ、ＵＥがサブフレーム９のＨＡＲＱフィードバックＮＡＣＫを受信した場合、ＵＥは、＜表５＞を参照してＰＣｅｌｌのＵＬ／ＤＬ構成によってｋの値として５を選択する。すると、ＵＥは、サブフレーム（９＋５）、すなわち次のラジオフレームのサブフレーム４でＰＵＳＣＨを再伝送する。
【０１０２】
同様に、ｅＮＢは、ＰＣｅｌｌと異なるＵＬ／ＤＬ構成を有するＳＣｅｌｌで、同時送受信が不可能であると報告したＵＥにＨＡＲＱフィードバックを伝送し、ＰＵＳＣＨ伝送リソースの管理において、ＵＥがＰＣｅｌｌのＵＬ／ＤＬ構成によってＰＨＩＣＨ受信時点とＰＵＳＣＨ再転送時点を決定することを考慮する。すなわち、ｅＮＢは、ＵＥに対して設定されたＰＣｅｌｌの構成に基づいて、ＳＣｅｌｌのサブフレーム９でＨＡＲＱフィードバックＮＡＣＫを伝送することに決定し、ＳＣｅｌｌのサブフレーム（９＋５）、すなわちＳＣｅｌｌで次のラジオフレームのサブフレーム４でＰＵＳＣＨの再伝送データを受信することに決定する。
【０１０３】
図９は、本発明の一実施形態によるＳＣｅｌｌのフィードバック伝送時点を決定するＵＥの動作を示す。ステップ９００，９０５，９１０は、各々図８に示したステップ８００，８０５，８１０と同一なので、ここではその詳細な説明を省略する。
【０１０４】
図９を参照すると、ステップ９１５で、ＰＤＳＣＨ伝送（又はＤＬ送信）を表すＰＤＣＣＨが受信されるか、あるいはＤＬ割り当てが設定されたサブフレームが来るように構成される。ＵＥは、サブフレームでＰＤＳＣＨデータを受信して復号化し、そのＰＤＳＣＨデータに対してフィードバックを伝送するためにステップ９２０に進行する。
【０１０５】
ステップ９２０で、ＵＥは、ＰＤＳＣＨデータが搬送されるサービングセルがＰＣｅｌｌであるか、あるいはＳＣｅｌｌであるかを判定する。ＵＥは、ＰＤＳＣＨデータを搬送するサービングセルがＰＣｅｌｌである場合にはステップ９２５に進行し、ＰＤＳＣＨデータを搬送するサービングセルがＳＣｅｌｌである場合にはステップ９３０に進行する。
【０１０６】
ステップ９３０で、ＵＥは、以下の条件を満たすか否かを判定する。上記条件が満足される場合、ＵＥは、ステップ９４０に進行し、そうでないと、ステップ９３５に進行する。
【０１０７】
上記条件が満足されない場合、これは、ＰＣｅｌｌ及びＳＣｅｌｌが同一の周波数帯域を有するか、あるいは周波数帯域が異なるにもかかわらず、ＰＣｅｌｌ及びＳＣｅｌｌは、同一のＵＬ／ＤＬ構成を有することを意味する。ＰＣｅｌｌ及びＳＣｅｌｌが同一の周波数帯域を有する場合、同一のＵＬ／ＤＬ構成は、２つのサービングセルに割り当てられなければならない。ステップ９３５で、ＵＥは、現在時区間のＵＬ／ＤＬ構成に基づいて、ＨＡＲＱフィードバックが伝送されるサブフレームを選択する。ＵＥがサブフレームｎ−ｋでＰＤＳＣＨを受信する場合、ＵＥは、ＨＡＲＱフィードバックを、サブフレームｎでＰＤＳＣＨに対して伝送する。例えば、ｋは、以下の＜表６＞に示すように、ＵＬ／ＤＬ構成によりＵＥがＨＡＲＱフィードバックを伝送するサブフレームの番号ｎによって定義される。
【０１０８】
【表６】
0006396918.tif 000007
【０１０９】
例えば、ＵＬ／ＤＬ構成が５であり、ｎが２である場合、ｋは、１３，１２，９，８，７，５，３，１１，６のうちいずれか一つである。
【０１１０】
上記の条件が満足される場合、これは、ＰＣｅｌｌ及びＳＣｅｌｌの周波数帯域がお互い違って、ＰＣｅｌｌのＵＬ／ＤＬ構成とＳＣｅｌｌのＵＬ／ＤＬ構成が異なることを意味する。ステップ９４０で、ＵＥは、現在バンド組み合わせに対して同時送受信が可能であるか否かを判定する。あるいは、現在バンド組み合わせに対して同時送受信が可能であると設定された情報を報告したか否かを判定する。すると、ステップ９４５に進行し、そうでないと、ステップ９２５に進行する。
【０１１１】
ＵＥは、ステップ９２５で、ＨＡＲＱフィードバックを伝送するサービングセルのＵＬ／ＤＬ構成でなく、ＰＣｅｌｌのＵＬ／ＤＬ構成を参照してｋを選択し、選択したｋによってＨＡＲＱフィードバックを伝送するサブフレームを選択する。
【０１１２】
ステップ９４０からステップ９４５に進行する場合、これは、ＵＥが同時送受信を遂行できることを意味する。ステップ９４５で、ＵＥは、ＰＣｅｌｌ及びＳＣｅｌｌの両方とものＵＬ／ＤＬ構成を考慮してｋを選択し、選択したｋによりＨＡＲＱフィードバックを伝送するようにサブフレームを選択する。
【０１１３】
ＰＣｅｌｌ及びＳＣｅｌｌの両方のＵＬ／ＤＬ構成を考慮することは、２つのＵＬ／ＤＬ構成の組み合わせによって所定の基準ＵＬ／ＤＬ構成を識別し、基準ＵＬ／ＤＬ構成に基づいてＨＡＲＱフィードバックを伝送するサブフレームを選択することを意味する。同時送受信が可能なＵＥがＰＣｅｌｌとＳＣｅｌｌのうちいずれか一つのＵＬ／ＤＬ構成のみを考慮する場合、ＵＥにより達成される潜在的な最大性能は、不必要に制限される。したがって、規格で所定の基準ＵＬ／ＤＬ構成を使用することが望ましい。基準ＵＬ／ＤＬ構成は、ＰＣｅｌｌのＵＬ／ＤＬ構成及びＳＣｅｌｌのＵＬ／ＤＬ構成の組み合わせ別に最適のＵＬ／ＤＬ構成に決定されて規格に明示され得る。例えば、ＰＣｅｌｌのＵＬ／ＤＬ構成が３、ＳＣｅｌｌのＵＬ／ＤＬ構成が１である場合、基準ＵＬ／ＤＬ構成は４に設定することができる。
【０１１４】
ｋの値が決定されると、ステップ２５０で、ＵＥは、ＨＡＲＱ  ＲＴＴ（Ｒｏｕｎｄ  Ｔｒｉｐ  Ｔｉｍｅ）タイマを駆動してステップ９３５又はステップ９４５で決定したｋに４を合算して手順を終了する。ＵＥは、ＨＡＲＱ  ＲＴＴタイマによってＤＬ送信を表すＰＤＣＣＨが受信されるまで待機する。
【０１１５】
ＨＡＲＱ  ＲＴＴタイマは、ＤＲＸモードで動作するＵＥがＨＡＲＱ再伝送を受信するまでバッテリーを節約するためにＰＤＣＣＨのモニタリングを中止できるように定義される。他に必要がないと、ＵＥは、ＨＡＲＱ  ＲＴＴタイマが駆動される間に、ＰＤＣＣＨモニタリングを中止してもよい。ＨＡＲＱ  ＲＴＴタイマが満了してＨＡＲＱ  ＲＴＴタイマに関連したＨＡＲＱプロセスのデータが復号化されない場合、ＵＥは、ＤＲＸ再伝送タイマを駆動する。
【０１１６】
上記のように、異なるＴＤＤバンド及び異なるＵＬ／ＤＬ構成を有するサービングセルが、ＴＤＤバンドのバンド組み合わせで同時送受信をサポートしないＵＥに構成され、ＵＥがＳＣｅｌｌでＰＤＳＣＨを受信する場合、ＵＥは、ＰＣｅｌｌのＵＬ／ＤＬ構成に基づいてＨＡＲＱフィードバックを伝送するサブフレームを選択する。
【０１１７】
図１０Ａ及び図１０Ｂは、本発明の一実施形態によるＳＣｅｌｌのＵＬ送信を遂行するＵＥの動作を示すフローチャートである。図１０Ａ及び図１０Ｂにおいて、ＵＥは、ＰＣｅｌｌ構成だけでなくＳＣｅｌｌのＵＬ／ＤＬ構成に基づいてＰＨＩＣＨ受信時点とＰＵＳＣＨ伝送時点を判定する。したがって、ＵＥは、ＰＨＩＣＨを受信せず、あるいはＰＵＳＣＨを伝送しない。ここで、ＵＥは、関連した変数を最適の値に設定して伝送効率を向上させる。ステップ１００５，１０１０は、各々図９のステップ９０５，９１０と同一の方式であるため、その詳細な説明を省略する。
【０１１８】
図１０Ａ及び図１０Ｂを参照すると、ステップ１０１５で、ＵＥは、ＳＣｅｌｌ構成を指示する制御メッセージを受信してＳＣｅｌｌを構成する。ＳＣｅｌｌの周波数帯域及びＵＬ／ＤＬ構成は、ＰＣｅｌｌの周波数帯域及びＵＬ／ＤＬ構成と異なる。
【０１１９】
ステップ１０２０で、ＵＥは、ＳＣｅｌｌのサブフレームｎでＵＬ送信を遂行する必要性があると判定する。例えば、サブフレームｎに対するＵＬグラントを受信し、サブフレームｎにＳＲＳの伝送が設定されている場合があり得る。
【０１２０】
ステップ１０２５で、ＵＥは、現在バンド組み合わせに対して同時送受信が可能であるか否かを判定するか、あるいは同時送受信が可能であることを示す情報がｅＮＢに報告されたかを判定する。その判定結果が肯定である場合、ＵＥは、ステップ１０８５に進行し、そうでない場合にはステップ１０３０に進行する。
【０１２１】
ステップ１０３０で、ＵＥは、ＳＲＳ又はＰＵＳＣＨが伝送されるか否かを判定する。ＳＲＳである場合には、ＵＥは、ステップ１０３５に進行し、ＰＵＳＣＨである場合にはステップ１０４５に進行する。
【０１２２】
ステップ１０３５で、ＵＥは、ＰＣｅｌｌのサブフレームｎがＤサブフレームであるか、Ｓサブフレームであるか、あるいはＵサブフレームであるかを判定する。ＰＣｅｌｌサブフレームｎがＤサブフレームである場合、ＵＥは、ステップ１０４０で、ＳＣｅｌｌのＳＲＳを伝送せず、ＳＣｅｌｌでＵＬ送信が再び必要になるまで待機する。
【０１２３】
ＰＣｅｌｌサブフレームｎがＳサブフレームである場合、ＵＥは、ステップ１０４２で、ＳＣｅｌｌのＳＲＳを条件付きで伝送する。特に、ＳＣｅｌｌサブフレームｎの最後のＯＦＤＭシンボルの時区間がＰＣｅｌｌサブフレームｎのＵｐＰＴＳの時区間に完全に含まれる場合、ＵＥは、ＳＲＳを伝送し、そうでない場合にはＳＲＳを伝送せず、ＵＬ送信がＳＣｅｌｌで再び必要とされるまで待機する。
【０１２４】
ＰＣｅｌｌサブフレームｎがＵサブフレームである場合、ＵＥは、ステップ１０４３で、ＳＣｅｌｌでＳＲＳを伝送し、ＳＣｅｌｌでＵＬ送信が再び必要になるまで待機する。
【０１２５】
ステップ１０４５で、ＵＥは、ＰＣｅｌｌサブフレームｎがＤサブフレームであるか、Ｓサブフレームであるか、あるいはＵサブフレームであるかを判定する。ＰＣｅｌｌサブフレームｎがＤサブフレーム又はＳサブフレームである場合、ＵＥは、ステップ１０５０でＰＵＳＣＨを伝送せず、ステップ１０６０でＣＵＲＲＥＮＴ＿ＴＸ＿ＮＢを１ずつ増加し、ＣＵＲＲＥＮＴ＿ＩＲＶをそのまま維持する。ＣＵＲＲＥＮＴ＿ＴＸ＿ＮＢ及びＣＵＲＲＥＮＴ＿ＩＲＶは、ＰＵＳＣＨ伝送に関連した変数であて、以下のような意味を有する。
【０１２６】
ＣＵＲＲＥＮＴ＿ＴＸ＿ＮＢ：現在ＨＡＲＱ動作で、パケットのＰＵＳＣＨ伝送回数を示す変数。ＵＥは、ＣＵＲＲＥＮＴ＿ＴＸ＿ＮＢが所定の最大値に到達する場合、パケットをバッファから廃棄する。
【０１２７】
ＣＵＲＲＥＮＴ＿ＩＲＶ：：現在ＨＡＲＱ動作でパケットに適用するＲＶ（Ｒｅｄｕｎｄａｎｃｙ  Ｖｅｒｓｉｏｎ）を示す変数。ＵＥは、ＰＵＳＣＨ伝送にＣＵＲＲＥＮＴ＿ＩＲＶにより指示されるＲＶを適用する。ＲＶは、ＰＵＳＣＨで伝送されるパケットに含まれる符号化ビットの構成を指示する。
【０１２８】
ＵＥは、ＨＡＲＱフィードバックを受信する度に、あるいはＰＵＳＣＨを伝送する度にこれら変数を更新する。ＵＥがいかなる理由でもＰＵＳＣＨを伝送しないことをｅＮＢが判定する場合、ＵＥとｅＮＢがＣＵＲＲＥＮＴ＿ＩＲＶをそのまま維持することが望ましい。ＵＬ  ＨＡＲＱ動作で非適応的再伝送が遂行される度に、特定ＲＶは、自動で適用される。非適応的再伝送は、ＵＥが以前伝送に使用した伝送リソースをそのまま用いて遂行する再伝送を意味する。ＵＥは、フィードバックとしてＮＡＣＫ信号を受信すると、基本的に非適応的再伝送を遂行する。例えば、ＵＥは、初期伝送にはＲＶ０を、第１の非適応的再伝送にはＲＶ２を、第２の非適応的再伝送にはＲＶ３を、第３の非適応的再伝送にＲＶ１を適用する。ＵＥとｅＮＢは、ＣＵＲＲＥＮＴ＿ＩＲＶを用いて次の再伝送に適用するＲＶを判定する。ＰＵＳＣＨ伝送を遂行しないにもかかわらず、ＣＵＲＲＥＮＴ＿ＩＲＶが増加する場合、ＲＶのうち一部はＰＵＣＨ伝送に使用されず、それによって性能が低下する。それによって、ステップ１０６０で、ＵＥは、ＣＵＲＲＥＮＴ＿ＩＲＶを維持する。
【０１２９】
ＣＵＲＲＥＮＴ＿ＴＸ＿ＮＢは、所定回数以上伝送されるにもかかわらず、ＰＵＳＣＨ伝送が成功しない場合、これ以上の再伝送を防ぐために使用される。ＵＥは、現在パケットの伝送回数が所定の最大値になる場合、パケットをＨＡＲＱバッファから廃棄してこれ以上の再伝送しない。ｅＮＢは、現在パケットの伝送回数が所定の最大値になる場合、パケットの非適応的再伝送がこれ以上ないと判定し、パケット伝送のためにＵＥに割り当てられた時間／周波数リソースを他のＵＥに割り当てることができる。したがって、ＵＥとｅＮＢが同一の時点で現在パケットの伝送回数が所定の最大値に到達したと判定することが重要である。このために、ＵＥとｅＮＢは、実際にＰＵＳＣＨ伝送回数でなく、再伝送時点が経過した回数に基づいてＣＵＲＲＥＮＴ＿ＴＸ＿ＮＢを管理することが望ましい。すなわち、ＵＥとｅＮＢは、パケットに対する伝送時点が経過する度に、パケットが実際に伝送されなくても、ＣＵＲＲＥＮＴ＿ＴＸ＿ＮＢを１ずつ増加させることが望ましい。
【０１３０】
ＵＥは、ステップ１０６０で、ＣＵＲＲＥＮＴ＿ＴＸ＿ＮＢとＣＵＲＲＥＮＴ＿ＩＲＶを設定した後、ステップ１０７７で、ＰＨＩＣＨの受信なしにＨＡＲＱ＿ＦＥＥＤＢＡＣＫをＮＡＣＫに設定する。ＨＡＲＱ＿ＦＥＥＤＢＡＣＫは、ＰＵＳＣＨ伝送に対するＨＡＲＱフィードバックを示す変数である。ＵＥは、ＨＡＲＱ＿ＦＥＥＤＢＡＣＫがＮＡＣＫである場合、次の再伝送時点で再伝送を遂行する。ＨＡＲＱ＿ＦＥＥＤＢＡＣＫがＡＣＫである場合、ＵＥは、次の再伝送時点に再伝送を遂行しない。
【０１３１】
これは、ＰＵＳＣＨデータを伝送せずにもかかわらず、ＰＨＩＣＨの受信がＨＡＲＱフィードバック誤り可能性のみを増加させるためである。ＵＥがＰＵＳＣＨデータを伝送しなかったので、ｅＮＢがＰＵＳＣＨデータを誤りなしに受信する可能性はない。それによって、ＨＡＲＱ＿ＦＥＥＤＢＡＣＫは、ＮＡＣＫに設定される。
【０１３２】
ＰＣｅｌｌサブフレームｎが、ステップ１０４５でＵサブフレームである場合、ＵＥは、ステップ１０６５でＳＣｅｌｌサブフレームｎでＰＵＳＣＨデータを伝送し、ステップ１０６７で、ＣＵＲＲＥＮＴ＿ＴＸ＿ＮＢとＣＵＲＲＥＮＴ＿ＩＲＶを各々１ずつ増加させる。ステップ１０６８で、ＵＥは、ＳＣｅｌｌのＵＬ／ＤＬ構成によりＰＨＩＣＨを受信するサブフレームを決定する。ステップ１０７０で、ＵＥは、ＰＨＩＣＨ受信サブフレームに該当するＰＣｅｌｌサブフレームがＵサブフレームであるか否かを判定する。Ｕサブフレームである場合、ＵＥは、ステップ１０７５に進行する。Ｄサブフレーム又はＳサブフレームである場合、ＵＥは、ステップ１０８０に進行する。
【０１３３】
ステップ１０７５で、ＵＥは、ＰＨＩＣＨを受信せず、ＨＡＲＱ＿ＦＥＥＤＢＡＣＫをＡＣＫに設定し、その理由は、ＵＥがＰＵＳＣＨは伝送したが、そのＰＵＳＣＨに対するフィードバックを受信しないためである。このとき、ＵＥがＨＡＲＱ＿ＦＥＥＤＢＡＣＫをＮＡＣＫに設定する場合、ＵＥは、不必要にＰＵＳＣＨ再伝送を遂行する。
【０１３４】
ステップ１０８０で、ＵＥは、ＰＨＩＣＨを受信し、ＰＨＩＣＨで受信されたフィードバックに従ってＨＡＲＱ＿ＦＥＥＤＢＡＣＫをＡＣＫ又はＮＡＣＫに設定する。
【０１３５】
ステップ１０２５で、現在バンド組み合わせで同時送受信が可能であり、あるいは現在バンド組み合わせで同時送受信のサポートを示す情報をｅＮＢに報告した場合、ＵＥは、ステップ１０８５で、ＳＣｅｌｌサブフレームｎでＰＵＳＣＨを伝送し、ステップ１０９０で、ＣＵＲＲＥＮＴ＿ＴＸ＿ＮＢとＣＵＲＲＥＮＴ＿ＩＲＶを各々１ずつ増加させる。ステップ１０９５で、ＵＥは、ＳＣｅｌｌのＵＬ／ＤＬ構成に基づいてＰＨＩＣＨを受信するサブフレームを判定する。その後、ＵＥは、ステップ１０８０で、判定されたサブフレームでＰＨＩＣＨのフィードバックを受信し、受信したフィードバックに従ってＨＡＲＱ＿ＦＥＥＤＢＡＣＫをＡＣＫ又はＮＡＣＫに設定する。
【０１３６】
ステップ１０４２，１０４３，１０６５，１０８５で、ＳＲＳ又はＰＵＳＣＨを伝送することは、他のソリューション又は要求事項によってＵＬ送信が制限されない場合のみに該当する。
【０１３７】
図１１は、本発明の一実施形態によるＵＥを示すブロック構成図である。
【０１３８】
図１１を参照すると、ＵＥは、送受信部１１０５、制御部１１１０、多重化（ＭＵＸ）及び逆多重化（ＤＥＭＵＸ）部１１２０、制御メッセージ処理部１１３５、及び一つ以上の上位階層処理部１１２５，１１３０を含む。
【０１３９】
送受信部１１０５は、サービングセルのＤＬチャンネルでデータ及び制御信号を受信する受信器とサービングセルのＵＬチャンネルでデータ及び制御信号を伝送する送信器を含む。複数のサービングセルが構成される場合、送受信部１１０５は、複数のサービングセルでデータ送受信及び制御信号送受信を遂行することができる。
【０１４０】
ＭＵＸ及びＤＥＭＵＸ部１１２０は、上位階層処理部１１２５，１１３０、制御メッセージ処理部１１３５で発生したデータを多重化するか、あるいは送受信部１１０５から受信されたデータを逆多重化して適切な上位階層処理部１１２５，１１３０又は制御メッセージ処理部１１３５に提供する。
【０１４１】
制御メッセージ処理部１１３５は、ｅＮＢから受信された制御メッセージを処理して必要な動作を実行する。例えば、ＳＣｅｌｌに関連したパラメータを受信すると、制御メッセージ処理部１１３５は、制御部１１１０にＳＣｅｌｌ関連パラメータを提供する。
【０１４２】
上位階層処理部１１２５，１１３０は、サービス別に構成される。ＦＴＰ（Ｆｉｌｅ  Ｔｒａｎｓｆｅｒ  Ｐｒｏｔｏｃｏｌ）又はＶｏＩＰ（Ｖｏｉｃｅ  ｏｖｅｒ  Ｉｎｔｅｒｎｅｔ  Ｐｒｏｔｏｃｏｌ）のようなユーザーサービスから発生するデータを処理してＭＵＸ及びＤＥＭＵＸ部１１２０に提供する。上位階層処理部１１２５，１１３０は、ＭＵＸ及びＤＥＭＵＸ部１１２０から受信されたデータを処理し、処理したデータを上位階層サービスアプリケーションに提供する。
【０１４３】
制御部１１１０は、送受信部１１０５を通じて受信されたスケジューリング命令、例えばＵＬグラントを確認し、適切な時点で適切な伝送リソースでＵＬ送信を遂行するように送受信部１１０５とＭＵＸ及びＤＥＭＵＸ部１１２０を制御する。制御部１１１０は、ＰＣｅｌｌとＳＣｅｌｌの周波数帯域及びＵＬ／ＤＬ構成に基づいてＳＣｅｌｌサブフレームで遂行する動作を判定し、するその判定動作により送受信部１１０５を制御する。
【０１４４】
図１２は、本発明の一実施形態によるｅＮＢを示すブロック構成図である。
【０１４５】
図１２を参照すると、ｅＮＢは、送受信部１２０５、制御部１２１０、ＭＵＸ及びＤＥＭＵＸ部１２２０、制御メッセージ処理部１２３５、一つ以上の上位階層処理部１２２５，１２３０、及びスケジューラ１２１５を含む。
【０１４６】
送受信部１２０５は、ＤＬキャリアでデータ及び所定の制御信号を伝送し、ＵＬキャリアでデータ及び所定の制御信号を受信する。複数のキャリアが構成される場合、送受信部１２０５は、複数のキャリアでデータ及び制御信号送受信を送信及び受信できる。
【０１４７】
ＭＵＸ及びＤＥＭＵＸ部１２２０は、上位階層処理部１２２５，１２３０又は制御メッセージ処理部１２３５から発生したデータを多重化するか、あるいは送受信部１２０５から受信したデータを逆多重化し、上位階層処理部１２２５，１２３０又は制御部１２１０に伝送する。制御メッセージ処理部１２３５は、ＵＥから受信した制御メッセージを処理し、必要な動作を実行し、あるいはＵＥに伝送される制御メッセージを生成して下位階層に伝送する。
【０１４８】
上位階層処理部１２２５，１２３０は、ＵＥ別及びサービス別に構成される。上位階層処理部１２２５，１２３０は、ＦＴＰ又はＶｏＩＰのようなユーザーサービスから発生するデータを処理し、ＭＵＸ及びＤＥＭＵＸ部１２２０に処理されたデータを提供する。また、上位階層１２２５，１２３０は、ＭＵＸ及びＤＥＭＵＸ部１２２０から受信したデータを処理して上位階層サービスアプリケーションに提供される。
【０１４９】
制御部１２１０は、ＰＣｅｌｌとＳＣｅｌｌの周波数帯域及びＵＬ／ＤＬ構成に基づいてＵＥがＳＣｅｌｌのどのサブフレームでＤＬ信号を受信してＵＬ信号を伝送するかを判定して送受信部１２０５を制御する。
【０１５０】
スケジューラ１２１５は、ＵＥのバッファ状態、チャンネル状態、及びＵＥの活性化時間（ａｃｔｉｖｅ  ｔｉｍｅ）を考慮してＵＥに適切な時点に伝送リソースを割り当て、送受信部１２０５にＵＥにより伝送された信号を処理し、あるいはＵＥに信号を伝送するように処理する。
【０１５１】
ＰＣｅｌｌの周波数帯域とＳＣｅｌｌの周波数帯域によってＰＣｅｌｌの電波環境とＳＣｅｌｌの電波環境が顕著に変わり、サービングセルの間にＤＬの受信時点が相互に異なるようになることがある。したがって、ＳＣｅｌｌのサブフレームｎがＰＣｅｌｌのサブフレームｎだけでなく、隣接した他のサブフレームとも時間軸上で少なくとも部分的に重なる場合が発生することができる。
【０１５２】
図１３Ａ及び図１３Ｂは、サービングセルのサブフレームが相互に重なる状況を示す。
【０１５３】
図１３Ａを参照すると、ＳＣｅｌｌの受信時点は、ＰＣｅｌｌの受信時点に先行する。この場合、ＳＣｅｌｌサブフレームｎ１３０５は、ＰＣｅｌｌサブフレームｎ１３１５だけでなく、ＰＣｅｌｌのサブフレームｎ−１  １３１０と一部重なるようになる。また、図１３Ｂを参照すると、ＳＣｅｌｌの受信時点がＰＣｅｌｌの受信時点に後行する場合、ＳＣｅｌｌのサブフレームｎ１３２０は、ＰＣｅｌｌのサブフレームｎ１３２５だけでなく、ＰＣｅｌｌのサブフレームｎ＋１  １３３０とも一部重なるようになる。
【０１５４】
上記したケースでは、ＳＣｅｌｌサブフレームｎで取る動作を決定することにおいて、ＵＥは、ＰＣｅｌｌサブフレームｎだけでなくＰＣｅｌｌに隣接したサブフレームも考慮すべきである。
【０１５５】
図１４は、本発明の他の実施形態によるＳＣｅｌｌのサブフレームでＵＥの動作を示すフローチャートである。
【０１５６】
図１４を参照すると、ステップ１４００で、ＵＥは、サービングセルのシステム情報を受信してサービングセルのＵＬ／ＤＬ構成を取得する。すると、サービングセルとＲＲＣ接続設定手順を開始する。ＲＲＣ接続設定手順が完了すると、サービングセルは、ＵＥのＰＣｅｌｌとなる。
【０１５７】
ステップ１４０５で、ＵＥは、ｅＮＢに性能情報メッセージによりその性能を報告する。性能情報メッセージは、ＵＥサポートされるバンド組み合わせに関する情報が含まれる。ＵＥは、ＴＤＤ間バンド組み合わせ（ｉｎｔｅｒ−ＴＤＤ  ｂａｎｄ  ｃｏｍｂｉｎａｔｉｏｎ）に対する同時送受信が可能であることを示す情報を追加して報告する。
【０１５８】
ステップ１４１０で、ＵＥにＳＣｅｌｌが設定される。特に、ＳＣｅｌｌは、ｅＮＢによりＵＥにＳＣｅｌｌ構成情報を含むＲＲＣ制御メッセージを伝送し、ＵＥによりＳＣｅｌｌ構成情報に基づいてＳＣｅｌｌの周波数帯域をサポートするための信号経路を設定するように構成され、それによってデータ送受信はＳＣｅｌｌで実行可能である。ＳＣｅｌｌ構成情報は、例えばＳＣｅｌｌの中心周波数、ＳＣｅｌｌでＵＥに割り当てられる無線リソース、及びＳＣｅｌｌのＵＬ／ＤＬ構成に関する情報を含む。
【０１５９】
ステップ１４１５で、ＵＥは、ＳＣｅｌｌサブフレームｎで遂行する動作を決定するためにＳＣｅｌｌサブフレームｎが開始するまで待機する。
【０１６０】
ステップ１４２０で、ＵＥは、以下の条件が成立するか否かを確認する。ＵＥは、条件を満す場合にはステップ１４３０に進行し、そうでない場合にはステップ１４２５に進行する。
−ＰＣｅｌｌ及びＳＣｅｌｌは、異なる周波数帯域を有する（バンド間ＴＤＤキャリアアグリゲーション）。
−ＰＣｅｌｌ及びＳＣｅｌｌは異なるＵＬ／ＤＬ構成を有する。
【０１６１】
上記の条件を満たさない場合、これは、ＰＣｅｌｌ及びＳＣｅｌｌは同一の周波数帯域を有し、あるいはＰＣｅｌｌ及びＳＣｅｌｌが異なる周波数帯域を有してもＵＬ／ＤＬ構成が同一であることを意味する。ＰＣｅｌｌ及びＳＣｅｌｌが同一の周波数帯域を有する場合、同一のＵＬ／ＤＬ構成は、ＰＣｅｌｌ及びＳＣｅｌｌに割り当てられなければならない。
【０１６２】
ステップ１４２５で、ＵＥは、ＳＣｅｌｌのＵＬ／ＤＬ構成に基づいてＳＣｅｌｌサブフレームｎのタイプを決定し、ＳＣｅｌｌサブフレームｎのタイプにより遂行する動作を決定する。ＵＥは、サブフレームのタイプに従って次のように動作する。
−サブフレームｎがＤサブフレームである場合、ＵＥは、サブフレームｎでＰＤＣＣＨ／ＰＨＩＣＨ／ＰＤＳＣＨを受信すると決定する。
−サブフレームｎがＳサブフレームである場合、ＵＥは、サブフレームｎでＰＤＣＣＨ／ＰＨＩＣＨを受信し、必要な場合に、ＵｐＰＴＳを伝送することに決定する。
−サブフレームｎがＵサブフレームである場合、ＵＥは、サブフレームｎで必要な場合には、ＰＵＳＣＨとＳＲＳを伝送することに決定する。
【０１６３】
上記動作は、ＵＥに適用される他のソリューション又は要求事項により制限され得る。例えば、サブフレームｎが不連続受信（Ｄｉｓｃｏｎｔｉｎｕｏｕｓ  Ｒｅｃｅｉｖｅ：ＤＲＸ）動作上の活性化時間と異なり、あるいはＵＥがＵＬ送信及びＤＬ受信を中断する時区間である測定ギャップと重なる場合には、上記動作が遂行されない。
【０１６４】
上記の条件を満たす場合、これは、ＰＣｅｌｌ及びＳＣｅｌｌが異なる周波数帯域及び異なるＵＬ／ＤＬ構成を有することを意味する。ステップ１４３０で、ＵＥは、現在バンド組み合わせ（すなわち、ＰＣｅｌｌとＳＣｅｌｌの周波数帯域の組み合わせ）に対して同時送受信が可能であるか否かを判定する。あるいは、ＵＥは、現在バンド組み合わせに対して同時送受信のサポートを示す情報がｅＮＢに報告される。判定結果が肯定であると、ステップ１４２５に進行し、そうでない場合にはステップ１４３５に進行する。
【０１６５】
ステップ１４３５で、ＵＥは、ＳＣｅｌｌサブフレームｎと重なるＰＣｅｌｌサブフレームのタイプに基づいてＳＣｅｌｌサブフレームｎで遂行する動作を決定する。一般的に、ＰＣｅｌｌとＳＣｅｌｌのフレーム境界は整列され、ＰＣｅｌｌサブフレームｎは、ＳＣｅｌｌサブフレームｎと重複される。しかしながら、ＰＣｅｌｌとＳＣｅｌｌのフレーム境界が整列されない場合、ＵＥは、以下のように動作する。
−ＳＣｅｌｌのＤＬ受信時点がＰＣｅｌｌのＤＬ受信時点に先行し（すなわち、ＳＣｅｌｌサブフレームｎの開始がＰＣｅｌｌサブフレームｎの開始より早く）、ＳＣｅｌｌサブフレームｎがＵサブフレームである場合、ＰＣｅｌｌサブフレームｎとＰＣｅｌｌサブフレームｎ−１のうち少なくとも一つがＤサブフレームである場合、ｅＮＢは、ＵＥがＳＣｅｌｌサブフレームｎでＵＬ送信を遂行しないようにスケジューリングされる。ＵＥは、ＳＣｅｌｌサブフレームｎでＵＬ送信、例えば非適応的再伝送がスケジューリングされても、ＵＬ送信を遂行せずにＣＵＲＲＥＮＴ＿ＴＸ＿ＮＢは１増加する。
−ＳＣｅｌｌのＤＬ受信時点がＰＣｅｌｌのＤＬ受信時点に後行し（すなわち、ＳＣｅｌｌサブフレームｎの開始がＰＣｅｌｌサブフレームｎの開始より遅く）、ＳＣｅｌｌサブフレームｎがＵサブフレームである場合に、ＰＣｅｌｌサブフレームｎとＰＣｅｌｌサブフレームｎ＋１のうち少なくとも一つでもＤサブフレームである場合、ｅＮＢは、ＵＥがＳＣｅｌｌサブフレームｎでＵＬ送信を遂行しないようにスケジューリングされる。ＵＥは、ＳＣｅｌｌサブフレームｎでＵＬ送信、例えば非適応的再伝送がスケジューリングされても、ＵＬ送信を遂行せずにＣＵＲＲＥＮＴ＿ＴＸ＿ＮＢは１増加する。
−ＳＣｅｌｌのＤＬ受信時点がＰＣｅｌｌのＤＬ受信時点に先行し（すなわち、ＳＣｅｌｌサブフレームｎの開始がＰＣｅｌｌサブフレームｎの開始より早く）、ＳＣｅｌｌサブフレームｎがＤサブフレームである場合、ＰＣｅｌｌサブフレームｎとＰＣｅｌｌサブフレームｎ−１のうち少なくとも一つがＵサブフレームである場合、ｅＮＢは、ＳＣｅｌｌサブフレームｎでＵＥにＤＬ送信をスケジューリングしない。ＵＥは、ＳＣｅｌｌサブフレームｎでＤＬ受信を遂行しない。すなわち、ＵＥは、ＳＣｅｌｌサブフレームｎでＰＤＣＣＨ／ＰＨＩＣＨ／ＰＤＳＣＨを受信しない。ＵＥは、ＳＣｅｌｌサブフレームｎがＤサブフレームであり、ＰＣｅｌｌサブフレームｎとｎ−１が両方ともＤサブフレームである場合のみに（又は、ＰＣｅｌｌサブフレームｎ−１及びＰＣｅｌｌサブフレームｎが両方ともＵサブフレームでない場合のみに）ＳＣｅｌｌサブフレームｎでＤＬ信号を受信する。
−ＳＣｅｌｌのＤＬ受信時点がＰＣｅｌｌのＤＬ受信時点に後行し（すなわち、ＳＣｅｌｌサブフレームｎの開始がＰＣｅｌｌサブフレームｎの開始より遅く）、ＳＣｅｌｌサブフレームｎがＤサブフレームである場合、ＰＣｅｌｌサブフレームｎとＰＣｅｌｌサブフレームｎ＋１のうち少なくとも一つがＵサブフレームである場合、ｅＮＢは、ＳＣｅｌｌサブフレームｎでＵＥにＤＬ送信をスケジューリングしない。ＵＥは、ＳＣｅｌｌサブフレームｎでＤＬ受信を遂行しない。すなわち、ＵＥは、ＰＤＣＣＨ／ＰＨＩＣＨ／ＰＤＳＣＨをＳＣｅｌｌサブフレームｎで受信しない。ＳＣｅｌｌサブフレームｎがＤサブフレームであり、ＰＣｅｌｌサブフレームｎとＰＣｅｌｌサブフレームｎ＋１が両方ともにＤサブフレームであるか、あるいはＰＣｅｌｌサブフレームｎがＤサブフレームであり、ＰＣｅｌｌサブフレームｎ＋１がＳサブフレームである場合のみに（あるいは、ＰＣｅｌｌサブフレームｎ及びＰＣｅｌｌサブフレームｎ＋１がＵサブフレームでない場合のみに）、ＵＥは、ＳＣｅｌｌサブフレームｎでＤＬ信号を受信する。
【０１６６】
言い換えれば、ＳＣｅｌｌサブフレームｎと少なくとも一部が重複されるＰＣｅｌｌサブフレームがＵサブフレームである場合、ＵＥは、ＳＣｅｌｌサブフレームｎでＤＬ信号を受信しないように制限し、ｅＮＢは、それに応じてＵＥをスケジューリングする。
【０１６７】
ＳＣｅｌｌサブフレームｎと少なくとも一部が重複されるＰＣｅｌｌサブフレームがＤサブフレームである場合、ＵＥは、ＳＣｅｌｌサブフレームｎでＵＬ信号を伝送しないように制限され、ｅＮＢは、それに応じてＵＥをスケジューリングする。
【０１６８】
図１４の手順に従って動作するＵＥ及びｅＮＢは、各々図１１及び図１２に示す構成を有する。
【０１６９】
周波数間ハンドオーバーをサポートするために、ＵＥは、時々現在サービング周波数（すなわち、サービングセル）でない他の周波数に対して測定を遂行するように構成される。ＵＥは、非サービング周波数を測定する間にはＵＥのハードウェアによってサービング周波数でのデータ送受信が不可能にする。例えば、ＵＥが一つのＲＦフロントエンドを含む場合、ＵＥは、単一のＲＦフロントエンドを用いて非サービング周波数を測定する間にサービング周波数で信号の送受信はできないものである。
【０１７０】
ＵＥが測定する間に、ｅＮＢは、ＵＥにデータを伝送するか、あるいはＵＬをスケジューリングすることによる性能低下を防ぐために、ＵＥがＵＬ送信及びＤＬ受信を中止する時区間が予め定められ得る。このような時区間は、測定ギャップと称される。測定ギャップ間に、ＵＥは、データを伝送せず、自身の受信器をＰＣｅｌｌ及びＳＣｅｌｌのキャリア周波数に合わせない。
【０１７１】
測定ギャップは、特定サブフレームの開始時点に開始され、所定時間、例えば６ｍｓ持続できる。測定ギャップが始まるサブフレームは、ｇａｐＯｆｆｓｅｔのパラメータにより特定（ｓｐｅｃｉｆｙ）される。ｅＮＢは、ＵＥに非サービング周波数の測定を指示しつつ、測定ギャップ構成情報を共に伝送する。例えば、測定ギャップ構成情報は、以下のような情報を含む。
【０１７２】
ｇａｐＯｆｆｓｅｔ：測定ギャップが開始するサブフレームを示す情報
【０１７３】
ＭＧＲＰ（Ｍｅａｓｕｒｅｍｅｎｔ  Ｇａｐ  Ｒｅｐｅｔｉｔｉｏｎ  Ｐｅｒｉｏｄ）情報：ＭＧＲＰが４０ｍｓであるか、又は８０ｍｓであるかを指示する情報
【０１７４】
ＵＥは、測定ギャップ構成情報に基づいて測定ギャップに該当する時区間を決定し、測定ギャップの間にはサービングセルでＤＬ受信及びＵＬ送信を遂行しない。
【０１７５】
図１５は、本発明の一実施形態による測定ギャップの設定例を示す。
【０１７６】
図１５を参照すると、ｇａｐＯｆｆｓｅｔは、システムフレーム番号（ＳＦＮ）ｎを有するラジオフレームのサブフレーム３（サブフレーム１５０５）を指定する。第１の測定ギャップ１５１０は、サブフレーム３の開始時点で始まって６ｍｓ維持される。第２の測定ギャップ１５２０は、第１の測定ギャップ１５１０の開始時点から所定周期後にラジオフレーム［ｎ＋ｍ］の同一のサブフレーム、すなわちサブフレーム３で開始される。ここで、ｍは、ＭＧＲＰにより定められる整数である。
【０１７７】
ＵＥが一つの測定ギャップの間に非サービング周波数の測定を完了しても、測定ギャップは、ｅＮＢにより解除されるまで反復して発生する。
【０１７８】
ＵＥに一つのサービングセルのみが構成される場合、測定ギャップの開始は、開始サブフレームを特定することによって正確に判定できる。しかしながら、ＵＥに複数のサービングセルが構成される場合には、測定ギャップの開始は、開始サブフレームを特定することにより正確に判定できない。
【０１７９】
図１６は、サービングセルのサブフレーム境界が一致しない場合に測定ギャップの設定が有する問題点を示す。
【０１８０】
図１６を参照すると、サービングセル１のＤＬ受信時点がサービングセル２のＤＬ受信時点より遅く、ｇａｐＯｆｆｓｅｔによって特定した測定ギャップの開始時点は、サブフレームｎである。サービングセル１のサブフレームｎ（サブフレーム１６１０）に対して、測定ギャップ１６２０は、サービングセル１のサブフレームｎからサブフレームｎ＋５まで持続される。サービングセル２のサブフレームｎ（サブフレーム１６１５）の開始部分は、測定ギャップ１６２０に含まれずに、サービングセル２のサブフレームｎ＋６（サブフレーム１６３０）の開始部分は、測定ギャップ１６２０に含まれる。
【０１８１】
一方、サービングセル２のサブフレームに対して、測定ギャップ１６２５は、サービングセル２のサブフレームｎからサブフレームｎ＋５まで持続される。サービングセル１のサブフレームｎ−１の後部分が測定ギャップ１６２５に含まれ、サービングセル１のサブフレームｎ＋５の後部分は、測定ギャップ１６２５に含まれない。
【０１８２】
測定ギャップは、ＵＥがＵＬ送信及びＤＬ受信を中断し、非サービング周波数に対する測定を遂行し、ｅＮＢは、測定ギャップでＵＥをスケジューリングしないように約束した時区間である。ＵＥとｅＮＢが異なる測定ギャップを有する場合、ｅＮＢは、ＵＥがデータを送受信しないサブフレームに対してデータを送受信することができる。例えば、ｅＮＢがサービングセル１に対して設定された測定ギャップ１６２０を使用し、ＵＥがサービングセル２に対して設定された測定ギャップ１６２５を使用する場合、ＵＥの測定ギャップ１６２５は、サービングセル１のサブフレームｎ−１以前に開始するので、ＵＥは、サービングセル１のサブフレームｎ−１データを送受信しない。しかしながら、ｅＮＢの測定ギャップ１６２０がサービングセル１のサブフレームｎ−１を含まないので、ｅＮＢは、サービングセル１のサブフレームｎ−１でＵＥにデータを伝送することができる。
【０１８３】
上記のような問題点を防止するために、ＵＥとｅＮＢは、同一のサービングセルに基づいて測定ギャップの開始時点を判定する。一実施形態において、ＰＣｅｌｌは、測定ギャップの基準として使用可能である。図１６の実施形態において、サービングセル１がＰＣｅｌｌである場合には測定ギャップ１６２０が使用され、サービングセル２がＰＣｅｌｌである場合には測定ギャップ１６２５が使用される。
【０１８４】
図１７は、ＳＣｅｌｌのＤＬ受信時点がＰＣｅｌｌのＤＬ受信時点に先行する場合の測定ギャップの構成を示す。図１７において、ｅＮＢとＵＥ両方ともに、ＰＣｅｌｌサブフレームｎで開始される同一の測定ギャップ１７２０を設定する。
【０１８５】
図１７を参照すると、ＳＣｅｌｌサブフレームｎ（サブフレーム１７１５）は、ＰＣｅｌｌサブフレームｎ（サブフレーム１７１０）に先行する。したがって、ＳＣｅｌｌサブフレームｎは、ＰＣｅｌｌサブフレームｎ−１（サブフレーム１７０５）と特定部分１７２５だけ重なる。測定ギャップ１７２０は、ＰＣｅｌｌサブフレームｎの開始時点で開始し、ＰＣｅｌｌサブフレームｎ＋５の終了時点で終了するように構成される。ＳＣｅｌｌがＰＣｅｌｌに先行する場合、ＳＣｅｌｌサブフレームｎ＋６（サブフレーム１７３０）の開始部分１７３５が測定ギャップ１７２０に含まれ、ｅＮＢは、ＳＣｅｌｌサブフレームｎ＋６でＵＥにデータを伝送しない。ＳＣｅｌｌサブフレームｎ＋６は、そのサブフレーム番号により測定ギャップ１７２０に属しないと判定されるが、実際時間ドメインでＳＣｅｌｌサブフレームｎ＋６の開始部分１７３５は、測定ギャップ１７２０に含まれる。それによって、ＵＥは、ｅＮＢがＵＥにＳＣｅｌｌサブフレームｎ＋６でスケジューリングしないと判定し、ＳＣｅｌｌサブフレームｎ＋６でデータ送受信を遂行しない。
【０１８６】
以上のように、ＳＣｅｌｌがＰＣｅｌｌに先行する場合、特定ＳＣｅｌｌサブフレームの開始部分は、測定ギャップに含まれるので、ｅＮＢは、このＳＣｅｌｌサブフレームでＵＥにデータを伝送しない。上記したＳＣｅｌｌサブフレームは、そのサブフレーム番号のため測定ギャップに含まれないと判定されるが、ＳＣｅｌｌサブフレームの開始部分は、測定ギャップに含まれる。したがって、ＵＥは、ｅＮＢがＳＣｅｌｌサブフレームでＵＥをスケジューリングしないと判定し、ＳＣｅｌｌサブフレームでデータを送受信しない。
【０１８７】
図１８は、ＰＣｅｌｌのＤＬ受信時点がＳＣｅｌｌのＤＬ受信時点に先行する場合、測定ギャップの構成を示す。図１８において、ｅＮＢとＵＥは、両方ともにＰＣｅｌｌサブフレームｎで始まる同一の測定ギャップ１８２０を設定する。
【０１８８】
図１８を参照すると、ＰＣｅｌｌサブフレームｎ（サブフレーム１８０５）は、ＳＣｅｌｌサブフレームｎ−１（サブフレーム１８１５）と特定部分１８３０だけ重なる。ＳＣｅｌｌサブフレームｎがＰＣｅｌｌサブフレームｎに後行する場合、ＳＣｅｌｌサブフレームｎ−１（サブフレーム１８１５）の最後部分１８３０は、測定ギャップ１８２０に含まれ、それによってｅＮＢは、ＳＣｅｌｌサブフレームｎ−１でＵＥにデータを伝送しない。ＳＣｅｌｌサブフレームｎ−１のサブフレーム番号によって判定され、測定ギャップ１８２０に属しないが、時間ドメインでは、ＳＣｅｌｌアブフレームｎ−１の最終部分１８３０は、測定ギャップ１８２０に含まれる。したがって、ＵＥは、ｅＮＢがＳＣｅｌｌサブフレームｎ−１でＵＥをスケジューリングしないと判定し、ＳＣｅｌｌサブフレームｎ−１でデータを送受信しない。
【０１８９】
図１９は、本発明の一実施形態による測定ギャップに関連したＵＥの動作を示すフローチャートである。
【０１９０】
図１９を参照すると、ステップ１９００で、ＵＥは、サービングセルに関するシステム情報を受信し、ＲＲＣ接続設定手順に必要な情報を獲得し、サービングセルとＲＲＣ接続設定手順を開始する。ＲＲＣ接続設定手順が完了すると、サービン    グセルは、ＵＥのＰＣｅｌｌである。
【０１９１】
ステップ１９０５において、ＵＥは、ｅＮＢに性能情報メッセージを通じてＵＥの性能を報告する。ＵＥがＣＡをサポートする場合、ＵＥ性能情報メッセージは、ＵＥサポートするバンド組み合わせに関する情報を含み、ｅＮＢは、サポートするバンド組み合わせ情報に従ってどの周波数帯域のどのセルをＵＥのＳＣｅｌｌに設定するかを判定する。
【０１９２】
ステップ１９１０で、ＵＥにＳＣｅｌｌが設定される。ＳＣｅｌｌは、ｅＮＢからＵＥにＳＣｅｌｌ構成情報を含むＲＲＣ制御メッセージを伝送し、ＵＥによりＳＣｅｌｌ構成情報に基づいてＳＣｅｌｌの周波数帯域をサポートするための信号経路を設定し、あるいはＵＥがＳＣｅｌｌを通じてデータを送受信するようにＵＥの送受信装置を設定することによって構成される。ＳＣｅｌｌ構成情報は、例えばＳＣｅｌｌの中心周波数、ＳＣｅｌｌでＵＥに割り当てられる無線リソースなどに関する情報を含むことができる。
【０１９３】
ステップ１９１５で、ｅＮＢは、ＵＥに測定ギャップを設定する。測定ギャップは、ＵＥにｇａｐＯｆｆｓｅｔを割り当てて設定される。例えば、ｇａｐＯｆｆｓｅｔは、０〜３９の値を有する第１のｇａｐＯｆｆｓｅｔと０〜７９の値を有する第２のｇａｐＯｆｆｓｅｔに区分され、これら第１及び第２のｇａｐＯｆｆｓｅｔのうちいずれか一つが使用される。第１のｇａｐＯｆｆｓｅｔに対応するＭＧＲＰは４０ｍｓであり、第２のｇａｐＯｆｆｓｅｔに対応するＭＧＲＰは８０ｍｓである。
【０１９４】
ＳＣｅｌｌ構成（ステップ１９１０）と測定ギャップ構成（ステップ１９１５）は、一つのＲＲＣメッセージにより同時に行われ、あるいは別の制御メッセージにより順次に行われることができる。後者の場合、ＳＣｅｌｌ構成及び測定ギャップ構成の順序は変わってもよい。
【０１９５】
ステップ１９２０で、ＵＥは、測定ギャップの開始時点を特定するＳＦＮとサブフレーム番号を所定数式及びギャップオフセットを用いて判定する。サブフレーム番号は、測定ギャップの第１のサブフレームを意味する。
【０１９６】
本発明の一実施形態において、測定ギャップが開始されるラジオフレームのＳＦＮは、＜数式１＞により算出される。
【０１９７】
［数１］
ＳＦＮ  ｍｏｄ  Ｔ＝ＦＬＯＯＲ（ｇａｐＯｆｆｓｅｔ／１０）    ………（１）
【０１９８】
ここで、Ｔ＝ＭＧＲＰ／１０である。
【０１９９】
本発明の一実施形態では、測定ギャップが始まるサブフレーム番号は＜数式２＞により算出される。
【０２００】
［数２］
ｓｕｂｆｒａｍｅ＝ｇａｐＯｆｆｓｅｔ  ｍｏｄ１０  ………（２）
【０２０１】
ステップ１９２５で、ＵＥは、測定ギャップの開始を特定するＳＦＮとサブフレーム番号をＰＣｅｌｌに適用して測定ギャップの開始時点を決定する。例えば、＜数式２＞によりサブフレーム番号ｎが算出される場合、ＵＥは、ＰＣｅｌｌサブフレームｎで測定ギャップが開始されると判定する。
【０２０２】
ステップ１９３０で、ＵＥは、決定された測定ギャップに基づいてどのサービングセルのどんなサブフレームで送受信を中止するかを判定する。その判定は、次のようになされる。
−ＰＣｅｌｌと活性化状態であるＳＣｅｌｌのサブフレームｎ〜サブフレームｎ＋５で、ＵＥは、ＵＬ送信又はＤＬ受信をともに遂行しない。
−活性化状態であるＳＣｅｌｌのうち、ＰＣｅｌｌのＤＬ受信時点に先行するＤＬ受信時点を有するＳＣｅｌｌ  ｐに対して測定ギャップ直前のサブフレーム、すなわちサブフレームｎ−１で、ＵＥは、ＤＬ受信を遂行しない（あるいは中止する）。言い換えれば、ＳＣｅｌｌ  ｐのサブフレームｎ−１〜サブフレームｎ＋５を除外した他のサブフレームで、その他の理由で中止しない限り、ＤＬ受信が遂行される。
−活性化状態であるＳＣｅｌｌのうち、ＰＣｅｌｌのＤＬ受信時点に後行するＤＬ受信時点を有するＳＣｅｌｌ  ｋに対しては測定ギャップ直後のサブフレーム、すなわちサブフレームｎ＋６で、ＵＥは、ＤＬ受信を遂行しない（あるいは中止する）。言い換えれば、ＳＣｅｌｌ  ｋのサブフレームｎ〜サブフレームｎ＋６を除外した他のサブフレームで、他の理由で中止しない限り、ＤＬ受信が遂行される。
−ＵＥは、ＰＣｅｌｌと活性化状態であるＳＣｅｌｌに対して、測定ギャップ直後のサブフレーム、すなわちサブフレームｎ＋６で、ＵＬ送信を遂行しない（または中止する）。言い換えれば、ＰＣｅｌｌとＳＣｅｌｌのサブフレームｎ〜サブフレームｎ＋６を除いた他のサブフレームで、他の理由でＵＬ送信が中止され、ＵＬ送信がスケジューリングされる場合、ＵＬ送信が遂行される。サブフレームｎ＋６でＵＬ送信が遂行されない理由は、ＯＦＤＭシステムに適用されるＴＡ（Ｔｉｍｉｎｇ  Ａｄｖａｎｃｅ）のため、ＵＬサブフレームｎ＋６が時間軸上でＤＬサブフレームｎ＋５と重なるためである。
【０２０３】
ステップ１９３５で、ＵＥは、この判定により、所定のサービングセルの特定のサブフレームでＤＬ受信を中止（すなわち、遮断）し、所定のサービングセルの特定のサブフレームでＵＬ送信を中止（すなわち、遮断）する。
【０２０４】
サブフレームでＤＬ受信を中止することは、ＵＥは、サブフレームでＰＤＣＣＨをモニタリングし、ＰＤＳＣＨをバッファリングせず、ＤＬ  ＨＡＲＱフィードバック受信がサブフレームでスケジューリングされても、ＵＥは、ＨＡＲＱフィードバックをサブフレームで受信しないことを意味する。受信しないＨＡＲＱフィードバックは、ＰＵＳＣＨ送信に対応する。ＰＵＳＣＨが伝送され、ＨＡＲＱフィードバックがＰＵＳＣＨに対して受信しない場合には、ＵＥは、ＨＡＲＱフィードバックでＡＣＫがＡＣＫであると判定するＨＡＲＱ動作を遂行する。ＰＵＳＣＨが伝送されず、ＨＡＲＱフィードバックも受信しない場合、ＵＥは、ＨＡＲＱフィードバックがＮＡＣＫであると判定するＨＡＲＱ動作を遂行する。
【０２０５】
任意のサブフレームでＵＬ送信を中止することは、ＵＥは、サブフレームでＰＵＣＣＨ伝送又はＰＵＳＣＨ伝送がスケジューリングされても、ＵＬ伝送を遂行しないことを意味する。特に、ＰＵＳＣＨを伝送しない場合、ＵＥは、ＣＵＲＲＥＮＴ＿ＴＸ＿ＮＢを１増加させ、ＣＵＲＲＥＮＴ＿ＩＲＶを現在値に維持する。
【０２０６】
測定ギャップ直前のサブフレームが時間ドメインで測定ギャップと一部重複することができるため、図１９に示す実施形態では、ＤＬ受信は、測定ギャップ直前のサブフレームで遂行されない。しかしながら、時間ドメインで重複区間がサブフレーム長さに比べて非常に短い場合、サブフレームでＵＥがＤＬの信号を受信して復号化に成功する可能性が非常に大きい。時間ドメインで測定ギャップと重なるサブフレームでＤＬ受信をあきらめる代わりに、パンクチャリング以後にＤＬ信号を受信する実施形態について、以下に説明する。
【０２０７】
一つのサブフレームは、１４個のＯＦＤＭシンボルを含む。ＰＤＣＣＨは、まず、サブフレームのｎ個のシンボルを通じて伝送され、ＰＤＳＣＨは、以後の（１４−ｎ）個のシンボルを通じて伝送される。ＰＤＳＣＨは、一部受信されなくても、受信された部分を用いて正しく復号化する可能性がある。一方、ＰＤＣＣＨは、一部でも受信されない場合、ＰＤＣＣＨを正しく解析できない。したがって、受信されるＤＬサブフレームは、測定ギャップと重複される最終部分を有するサブフレームに限定されなければならない。すなわち、測定ギャップの開始直前のサブフレームであるサブフレームｎ−１が測定ギャップと一部重なっても、ＤＬ受信は、サブフレームｎ−１で可能である。したがって、ＤＬ受信は、サブフレームｎ−１で許可され得る。さらに、測定ギャップの開始は、測定ギャップ直後のサブフレームが測定ギャップと時間軸で重複されないように適切に調整される。
【０２０８】
図２０は、本発明の一実施形態による測定ギャップに関連してＵＥの動作を示すフローチャートである。ステップ２０００、ステップ２００５，２０１０，２０１５，２０２０は、図１９に示したステップ１９００，１９０５，１９１０，１９１５，１９２０と同一なので、その説明を省略する。
【０２０９】
図２０を参照すると、ステップ２０２３で、ＵＥは、活性化状態であるＳＣｅｌｌのうち、ＰＣｅｌｌのＤＬ受信時点に先行するＤＬ受信時点を有するＳＣｅｌｌがあるか否かを判定する。上記ＳＣｅｌｌがない場合、すなわちＰＣｅｌｌのＤＬ受信時点が活性化状態であるすべてのＳＣｅｌｌのＤＬ受信時点に先行する場合、ＵＥは、ステップ２０２５に進行する。ＰＣｅｌｌに先行するＤＬ受信時点を有する少なくとも一つのＳＣｅｌｌが存在する場合、ＵＥは、ステップ２０４５に進行する。
【０２１０】
ＵＥがステップ２０２５に進行する場合、これは、測定ギャップの開始時点がＰＣｅｌｌのサブフレームｎである場合に、測定ギャップは、ＳＣｅｌｌのサブフレームｎ−１と時間ドメインで重なるが、ＳＣｅｌｌのサブフレームｎ＋６と時間ドメインで重複しないことを意味する。したがって、ＵＥは、ステップ２０２５で、測定ギャップの開始サブフレームとなるＰＣｅｌｌのサブフレームｎを決定し、ステップ２０３０で、図１９に示したステップ１９３０と同一の方法で、データ送受信を中止されるサブフレーム及びデータ伝送のみを中止するサブフレームを決定する。すなわち、ＵＥは、ＰＣｅｌｌとＳＣｅｌｌのサブフレームｎ〜ｎ＋５でデータ送受信を中止すると決定し、ＰＣｅｌｌとＳＣｅｌｌのサブフレームｎ＋６でデータ伝送のみを中止すると決定する。すなわち、ＵＥは、ＰＣｅｌｌとＳＣｅｌｌのサブフレームｎ＋６でデータ伝送を中止し、ＵＥの受信器をＰＣｅｌｌとＳＣｅｌｌのキャリア周波数のうち一つで調整する。ｅＮＢは、ＵＥがデータ送受信を中止するサブフレームでデータ伝送をスケジューリングせず、サブフレームでＤＬ信号の受信をモニタリングしない。
【０２１１】
ステップ２０３５において、ＵＥは、活性化状態であるＳＣｅｌｌのサブフレームｎ−１でＤＬ信号を受信する。例えば、図１８において、ＵＥは、ＳＣｅｌｌのサブフレームｎ−１と測定ギャップが時間ドメインで重なる部分１８３０では受信を中止する。
【０２１２】
ステップ２０４０で、ＵＥは、ステップ２０３０の判定により所定のサービングセルの特定サブフレームでＤＬ受信を中止し、所定のサービングセルの特定サブフレームでＵＬ送信を中止する。
【０２１３】
ＵＥがステップ２０２３からステップ２０４５に進行すると、これは、測定ギャップの開始時点がＰＣｅｌｌのサブフレームｎに設定する場合、ＳＣｅｌｌのサブフレームｎ−１と測定ギャップが時間ドメインで重複されないが、ＳＣｅｌｌサブフレームｎ＋６と測定ギャップが時間ドメインで重なることを意味する。したがって、ＵＥは、測定ギャップと重なる部分がＳＣｅｌｌサブフレームｎ−１に含まれるように、測定ギャップの開始時点をＰＣｅｌｌサブフレームｎの開始時点から所定の時区間だけ早める。所定の期間は、活性化されたＳＣｅｌｌの最も早いＤＬ受信時点とＰＣｅｌｌのＤＬ受信時点との差に該当する。その結果、測定ギャップの開始時点は、ＤＬ受信時点が最も早いＳＣｅｌｌのサブフレームｎに決定される。
【０２１４】
例えば、図１７において、測定ギャップの開始時点は、ＰＣｅｌｌサブフレームｎの開始時点から所定時区間１７２５だけ先行する。このように測定ギャップの開始時点を調整するが、ＰＣｅｌｌのサブフレームｎ−１の部分は、測定ギャップと時間ドメインで重なる。しかしながら、測定ギャップは、いかなるサービングセルのサブフレームｎ＋６と時間ドメインで重複されない。ＵＥは、測定ギャップの開始時点を決定した後に、ステップ２０５０に進行する。ステップ２０５０は、ステップ２０３０と同一の方法で遂行される。
【０２１５】
ステップ２０５５で、ＵＥは、ＰＣｅｌｌサブフレームｎ−１でＤＬ受信を遂行する。このとき、ＵＥは、ＰＣｅｌｌサブフレームｎ−１と測定ギャップとの間に重なる時間ドメイン部分で受信を中止する。
【０２１６】
ステップ２０６０は、ステップ２０４０と同一に遂行される。
【０２１７】
後述する本発明の実施形態において、測定ギャップの開始時点は、ＰＣｅｌｌの代わりに、最も早いＤＬ受信時点を有するサービングセルに対して決定される。
【０２１８】
図２１は、本発明の一実施形態による測定ギャップに関連してＵＥの動作を示すフローチャートである。ステップ２１００，２１０５，２１１０，２１１５，２１２０は、ステップ１９００，１９０５，１９１０，１９１５，１９２０と同一に遂行されるので、その説明を省略する。
【０２１９】
図２１を参照すると、ステップ２１２５で、ＵＥは、測定ギャップの開始時点を特定するＳＦＮとサブフレーム番号を基準サービングセルに適用して測定ギャップの開始時点を決定する。サブフレームｎが、＜数式１＞と＜数式２＞により決定される場合、ＵＥは、基準サービングセルのサブフレームｎで測定ギャップが始まると判定する。ここで、基準サービングセルは、現在活性化状態のサービングセルのうちＤＬ受信時点が最も早いサービングセルを意味する。基準サービングセルは、ＰＣｅｌｌであるか、あるいはＳＣｅｌｌである。図１７の状況では、基準サービングセルはＳＣｅｌｌであり、図１８の状況では、基準サービングセルはＰＣｅｌｌである。
【０２２０】
ステップ２１３０で、ＵＥは、決定された測定ギャップによりどんなサービングセルのどのサブフレームで送受信を中止するかを判定する。この判定は、以下のようになされる。
−ＰＣｅｌｌと活性化状態のＳＣｅｌｌのサブフレームｎ〜サブフレームｎ＋５では、ＵＬ送信及びＤＬ受信が遂行されない（あるいはこれら送受信が中止される）。
−基準サービングセルを除いた残りのサービングセルに対しては測定ギャップの開示直前のサブフレーム、すなわちサブフレームｎ−１でＤＬ受信は、遂行されない（あるいは中止される）。本発明の他の実施形態では、ＤＬ受信は、サブフレームｎ−１と測定ギャップとの間に重ならない時間ドメイン区間で遂行され、ＤＬ受信は重複区間のみで遂行されない。
−ＤＬ送信は、ＰＣｅｌｌと活性化状態のＳＣｅｌｌの測定ギャップが終了した直後のサブフレーム、すなわちＰＣｅｌｌ及び活性化のＳＣｅｌｌのサブフレームｎ＋６で遂行されない（あるいは中止される）。言い換えれば、ＵＬ送信が、ＰＣｅｌｌとＳＣｅｌｌのサブフレームｎ〜サブフレームｎ＋６を除いた残りのサブフレームで、他の理由で禁止されず、スケジューリングされる場合、ＵＬ送信が遂行される。サブフレームｎ＋６でＵＬ送信を遂行しない理由は、ＯＦＤＭ通信システムで適用されるＴＡのため、ＵＬサブフレームｎ＋６が時間軸でＤＬサブフレームｎ＋５と重なるためである。
【０２２１】
ステップ２１３５で、ＵＥは、判定に従って特定のサービングセルの特定のサブフレームでＤＬ受信を中止し、特定のサービングセルの特定のサブフレームでＵＬ送信を中止する。
【０２２２】
図１９〜図２０の手順で動作するＵＥ及びｅＮＢは、各々図１１及び図１２に示すブロック構成を有する。
【０２２３】
ＯＦＤＭ通信システムでは、ｅＮＢは、ＣＰ（Ｃｙｃｌｉｃ  Ｐｒｅｆｉｘ）と呼ばれる所定の時区間の終了以前にＵＥから信号を受信されなければならない。多様な位置にあるＵＥのＵＬ信号が所定の時区間内に至るように、ＵＥのＵＬ送信時点を調整すべきである。ＬＴＥではＵＥがＵＬ送信時点を決定することにおいて、ＤＬ受信時点を基準でタイミング調整（ＴＡ）の長さだけＵＬ送信時点を早める。ＴＡは、ＵＥ別にｅＮＢにより指定できる。したがって、ＤＬサブフレームを基準で形成された測定ギャップは、ＵＬサブフレームと整列できず、測定ギャップが終了した直後のサブフレームは、常にＴＡだけの測定ギャップと重なる。したがって、測定ギャップを正常に保証するために、ＵＥは、測定ギャップが終了した直後のＵＬサブフレームでＵＬ送信を遂行しない。
【０２２４】
図２２は、ＦＤＤシステムで、測定ギャップとＵＬサブフレームの関係を示す。以下、説明の便宜のために、サブフレーム［ｂｅｆｏｒｅ］は、測定ギャップが始まる直前のサブフレームを表し、サブフレーム［ａｆｔｅｒ］は、測定ギャップが終了した直後のサブフレームを表す。図２２の実施形態では、測定ギャップ２２２０は、サブフレームｎ〜サブフレームｎ＋５に形成され、サブフレームｎ−１がサブフレーム［ｂｅｆｏｒｅ］でサブフレームｎ＋６がサブフレーム［ａｆｔｅｒ］である。
【０２２５】
図２２を参照すると、ＵＬサブフレームｎは、ＤＬサブフレームｎに比べてＴＡ２２２５だけ先行し、それによってＵＬサブフレームｎ＋６は、測定ギャップ２２２０とＴＡ２２３５だけ重複される。
【０２２６】
ＴＤＤシステムにおいて、同一の周波数領域でＤＬとＵＬが共に存在するため、サブフレーム［ａｆｔｅｒ］がＵサブフレームであっても、常に測定ギャップと重なることではない。
【０２２７】
図２３は、ＴＤＤシステムにおいて、ＵＬサブフレームのタイミング調整の一例を示す。
【０２２８】
図２３を参照すると、ＴＤＤシステムにおいてＤＬからＵＬへの切り替え（以下、Ｄ−Ｕスイッチング）２３０５は、Ｓサブフレーム２３１０の間になされる。Ｕサブフレームの受信時点は、Ｓサブフレーム２３１０でＴＡにより調整される。したがって、Ｓサブフレーム２３１０の長さは、１ｍｓでなく、（１−ＴＡ）ｍｓである。例えば、ＴＡが０．０５ｍｓである場合、Ｓサブフレーム２３１０の長さは０．９９５ｍｓである。ＵＬがＤＬに切り替えられる場合、サブフレームタイミングは、ＴＡにより遅延される。すなわち、Ｕ−Ｄスイッチング２３１５の際に、ＴＡサイズに該当する空白が発生する。
【０２２９】
言い換えれば、Ｄ−Ｕスイッチングの間に、サブフレームタイミングがＴＡだけ早められ、Ｕ−Ｄスイッチングの間に、サブフレームタイミングがＴＡだけ遅らせる。
【０２３０】
測定ギャップ内に含まれるＤ−Ｕスイッチング回数がＵ−Ｄスイッチング回数より多い場合、測定ギャップはサブフレーム［ａｆｔｅｒ］の一部を含み、ＵＥはサブフレーム［ａｆｔｅｒ］でＵＬ送信を遂行しない。測定ギャップ内にＤ−Ｕスイッチング回数とＵ−Ｄスイッチング回数が同一である場合、測定ギャップは、サブフレーム［ａｆｔｅｒ］を含まないので、ＵＥは、サブフレーム［ａｆｔｅｒ］でＵＬ送信を遂行できる。
【０２３１】
サブフレームの順序がＤ，Ｓ，Ｕ，Ｄに循環するため、サブフレーム［ｂｅｆｏｒｅ］がＤサブフレームである場合のみに、サブフレーム［ａｆｔｅｒ］はＵサブフレームであり、Ｄ−Ｕスイッチングの回数は測定ギャップのＵ−Ｄスイッチングの回数より多い。したがって、ＵＥは、サブフレーム［ｂｅｆｏｒｅ］のタイプを参照する。サブフレーム［ｂｅｆｏｒｅ］がＤサブフレームであり、サブフレーム［ａｆｔｅｒ］がＵサブフレームである場合、ＵＥは、サブフレーム［ａｆｔｅｒ］でＵＬ送信を遂行しない。サブフレーム［ｂｅｆｏｒｅ］がＤアブフレームでなく、サブフレーム［ａｆｔｅｒ］がＵサブフレームである場合、ＵＥは、サブフレーム［ａｆｔｅｒ］で必要な場合、ＵＬ送信を遂行する。
【０２３２】
一つのサービングセルが存在し、あるいはサービングセルが同一のＵＬ／ＤＬ構成を有する場合、サブフレーム［ｂｅｆｏｒｅ］のタイプによりサブフレーム［ａｆｔｅｒ］でＵＬ送信をするか否かを判定することは、効果的に実行される。しかしながら、サービングセルが異なるＵＬ／ＤＬ構成を有する場合には、複数のサブフレーム［ｂｅｆｏｒｅ］が参照され、それによってこの規則は、適用されない。
【０２３３】
ＵＥとｅＮＢは、サブフレーム［ａｆｔｅｒ］でＵＬ送信又はＵＬ非送信に関して同一に知るべきであり、それによって伝送リソースが浪費され、あるいはＵＥのバッテリーが消耗されることを防止できる。
【０２３４】
図２４は、本発明の一実施形態による測定ギャップに関してＵＥの動作を示すフローチャートである。ＵＥは、複数のサブフレーム［ｂｅｆｏｒｅ］のうち少なくとも一つがＤサブフレームである場合、Ｕサブフレームであるサブフレーム［ａｆｔｅｒ］ではＵＬ送信を遂行しない。
【０２３５】
図２４を参照すると、ステップ２４０５で、ＵＥは、測定ギャップがサブフレームｍで終了することを認知する。
【０２３６】
ステップ２４１０で、ＵＥは、現在システムがＦＤＤシステムであるか、ＴＤＤシステムであるかを判定する。ＦＤＤシステムである場合、ステップ２４１５で、ＴＤＤシステムである場合にはステップ２４２０に進行する。ステップ２４１５で、ＵＥは、ＵＬサブフレームｍ＋１でＵＬ送信を遂行してはならないことを認知し、サブフレームｍ＋１にＵＬ送信がスケジューリングされていてもＵＬ送信を遂行せずに、関連変数のみを調整するように自身の送信装置を制御する。ここで、関連変数は、一例としてＣＵＲＲＥＮＴ＿ＴＸ＿ＮＢ、ＣＵＲＲＥＮＴ＿ＩＲＶ、及びＨＡＲＱ＿ＦＥＥＤＢＡＣＫを意味する。
【０２３７】
ステップ２４２０で、ＵＥは、サブフレームｍ＋１がＵサブフレームであるか否かを判定する。ＵＥに複数のサービングセルが設定されている場合、ＵＥは、複数のサービングセルに対するサブフレームｍ＋１のうちいずれか一つでもＵサブフレームであるか否かを判定する。一つでもＵサブフレームである場合、ステップ２４３０に進行し、Ｕサブフレームがない場合、ステップ２４２５に進行する。ステップ２４２５で、ＵＥは、サブフレームｍ＋１のタイプに従って適切な動作を遂行する。すなわち、サブフレームｍ＋１がＤサブフレームである場合、ＰＤＣＣＨを受信するなどＤＬ動作を遂行し、Ｓサブフレームである場合には、ＳサブフレームでＵＥが遂行すべき動作を遂行する。
【０２３８】
ステップ２４３０で、ＵＥは、一つのサービングセルのみが設定されているか（あるいは、一つのサービングセルのみが活性化状態であるか）、あるいは複数のサービングセルが設定されており、活性化状態であるサービングセルのＵＬ／ＤＬ構成がともに同一であるかを判定する。一つのサービングセルのみが設定されるか、あるいはすべてのサービングセルのＵＬ／ＤＬ構成がともに同一である場合、ＵＥは、ステップ２４３５に進行する。ステップ２４３５で、ＵＥは、サブフレーム［ｂｅｆｏｒｅ］がＤサブフレームであるかを確認し、そうである場合にはステップ２４１５に進行し、Ｄサブフレームでない場合には、ステップ２４４５に進行する。複数のサービングセルが設定されており、ＵＬ／ＤＬ構成が異なる場合、ＵＥは、ステップ２４４０に進行する。
【０２３９】
ステップ２４４０で、ＵＥは、設定されたサービングセル（又は活性化状態のサービングセル）のサブフレーム［ｂｅｆｏｒｅ］のうち少なくとも一つがＤサブフレームであるか否かを判定する。上記サービングセルのうち少なくとも一つのサブフレーム［ｂｅｆｏｒｅ］がＤサブフレームである場合、ＵＥは、ステップ２４１５で、サブフレームｍ＋１のうちＵサブフレームでＵＬ送信を遂行しない。ここで、ＵＥは、Ｕサブフレームでないサブフレームｍ＋１ではノーマル動作を遂行する。ステップ２４４５で、ＵＥは、サブフレームｍ＋１のうちＵサブフレームでは、ＵＬ送信がスケジューリングされ、異なる理由でＵＬ送信が禁止されない場合、ＵＬ送信を遂行する。ステップ２４１５のように、ＵＥは、Ｕサブフレームでないサブフレームｍ＋１でノーマル動作を遂行する。
【０２４０】
ハーフデュプレックスＵＥは、サブフレーム［ａｆｔｅｒ］がＵサブフレームであっても、ＰＣｅｌｌのサブフレーム［ａｆｔｅｒ］がＵサブフレームである場合には、ＵＬ送信を遂行することができない。
【０２４１】
図２５は、本発明のもう一つの実施形態による測定ギャップに対してＵＥの動作を示すフローチャートである。ステップ２５０５，２５１０，２５１５，２５２０，２５２５は、ステップ２４０５，２４１０，２４１５，２４２０，２４２５と同一に遂行され、その説明を省略する。
【０２４２】
図２５を参照すると、ステップ２５３０で、ＵＥは、一つのサービングセルのみが設定されているか（あるいは、一つのサービングセルのみが活性化状態であるか）、あるいは複数のサービングセルが設定されて活性化状態のサービングセルのＵＬ／ＤＬ構成がすべて同一であると判定する。一つのサービングセルのみが設定されているか、あるいはすべてのサービングセルのＵＬ／ＤＬ構成が同一である場合、ＵＥは、ステップ２５３５に進行する。ステップ２５３５は、ステップ２４３５と同一である。複数のサービングセルが設定されており、ＵＬ／ＤＬ構成が異なる場合、ＵＥは、ステップ２５３３に進行する。
【０２４３】
ステップ２５３３で、ＵＥは、現在設定されたバンド組み合わせに対して同時に送受信が可能であるか（すなわち、フルデュプレックス（ＦＤ）で動作できるか）を確認する。あるいは、現在設定されたバンド組み合わせに対して同時送受信が可能であると設定される情報を報告したか否かを確認する。フルデュプレックスで動作できる場合、ステップ２５４０に進行する。ステップ２５４０は、ステップ２４４０と同一である。フルデュプレックスで動作できない場合、すなわちハーフデュプレックス（ＨＤ）で動作する場合、ＵＥは、ステップ２５３７に進行する。
【０２４４】
ステップ２５３７で、ＵＥは、ＰＣｅｌｌのサブフレーム［ｂｅｆｏｒｅ］がＤサブフレームであるか否かを判定する。ＰＣｅｌｌサブフレーム［ｂｅｆｏｒｅ］がＤサブフレームである場合、ＵＥは、ステップ２５１５で、サブフレームｍ＋１のうちＵサブフレームでは、ＵＬ送信を遂行しない。ここで、ＵＥは、サブフレームタイムがＵサブフレームでなく、サブフレームｍ＋１ではノーマル動作を遂行する。ＰＣｅｌｌサブフレーム［ｂｅｆｏｒｅ］がＤサブフレームでない場合に、ＵＥは、ステップ２５４５で、サブフレームｍ＋１のうちＵサブフレームでは、ＵＬ送信がスケジューリングされ、異なる理由でＵＬ送信が禁止されない場合、ＵＬ送信を遂行する。ステップ２５１５と同様に、ＵＥは、Ｕサブフレームでないサブフレームｍ＋１ではノーマル動作を遂行する。
【０２４５】
図２６は、本発明の一実施形態による測定ギャップに関してＵＥの動作を示すフローチャートである。図２６は、ハーフデュプレックスＵＥの他の動作を示す。ステップ２６０５，２６１０，２６１５，２６２０，２６２５，２６３０，２６３５，２６３３，２６４０，２６４５は、図２５に示したステップ２５０５，２５１０，２５１５，２５２０，２５２５，２５３０，２５３５，２５３３，２５４０，２５４５と同一に遂行され、その説明を省略する。
【０２４６】
図２６を参照すると、ステップ２６３７で、ＵＥは、ＰＣｅｌｌのサブフレーム［ｂｅｆｏｒｅ］がＤサブフレームでなく、ＰＣｅｌｌのサブフレーム［ａｆｔｅｒ］がＵサブフレームであるかを判定する。２つの条件を満たす場合、ＵＥは、他のサービングセルのサブフレーム［ａｆｔｅｒ］でＵＬ送信を遂行し、それによってステップ２６４５に進行する。２つの条件のうち少なくとも一つでも満足しない場合、ＵＥは、ステップ２６１５で、すべてのサービングセルのサブフレームｍ＋１でＵＬ送信を遂行しない。ステップ２６４５で、ＵＥは、ＰＣｅｌｌのサブフレームｍ＋１及びＳＣｅｌｌサブフレームｍ＋１のうちＵサブフレームであるサブフレームｍ＋１でＵＬ送信がサブフレームでスケジューリングされ、他の理由でＵＬ送信が禁止されない場合には、ＵＬ送信を遂行する。
【０２４７】
上記したように、サービングセルに異なるＵＬ／ＤＬ構成を適用するために、サービングセルは、異なる周波数帯域を有しなければならない。ＵＥの構造上、ＵＥは、異なる周波数帯域に対して異なるＲＦ回路を使用すべきである。この場合、サービングセル単位でサブフレーム［ａｆｔｅｒ］で動作を制御することが可能である。すなわち、サービングセルｘのサブフレーム［ｂｅｆｏｒｅ］のみが、サービングセルｘのサブフレーム［ａｆｔｅｒ］で動作を決定するのに考慮される。この場合、各サービングセルで測定ギャップが異なる時区間に適用されるが、６ｍは、測定ギャップに対して保証され得る。
【０２４８】
図２７は、異なるＵＬ／ＤＬ構成を有するサービングセルの一実施形態を示す。
【０２４９】
図２７を参照すると、＜表１＞のＵＬ／ＤＬ構成１及びＵＬ構成３は、各々サービングセル１及びサービングセル２に割り当てられ、サブフレーム７〜サブフレーム２で測定ギャップが形成される。ＵＥは、サービングセル１とサービングセル２に各々異なるＲＦフロントエンドを使用する。サービングセル１に適用されるＲＦフロントエンドをＲＦ１、サービングセル２に適用されるＲＦフロントエンドをＲＦ２とする。すると、ＵＥは、これらＲＦ１とＲＦ２のうちいずれか一つを用いて一つ以上の非サービング周波数を測定する。ＵＥがＲＦ１を使用して非サービング周波数を測定する場合、サービングセル１のサブフレーム［ｂｅｆｏｒｅ］がＤサブフレームでないので、サブフレーム［ａｆｔｅｒ］であるサブフレーム３でＵＬ送信を遂行してもＲＦ１には６ｍｓの期間２７０５が与えられる。ＵＥがＲＦ２を用いて非サービング周波数を測定する場合、サブフレーム［ｂｅｆｏｒｅ］がＤサブフレームであり、サブフレーム［ａｆｔｅｒ］がＵアブフレームであるため、サブフレームＵでＵＬ送信により６ｍｓの期間２７１０が保証されない。それによって、ＵＥは、ＵＬ送信を遂行しない。したがって、ｅＮＢがＵＥで測定に使用されるＲＦフロンドエンドに関する情報がなくても、ｅＮＢは、少なくともサービングセルレベルではサブフレーム［ａｆｔｅｒ］が使用可能であるか否かを明確に判定することができる。
【０２５０】
図２８は、本発明の一実施形態による測定ギャップに関してＵＥの動作を示すフローチャートである。ステップ２８０５，２８１０，２８１５，２８２０，２８２５，２８３０，２８３５，２８４５は、図２４に示したステップ２４０５，２４１０，２４１５，２４２０，２４２５，２４３０，２４３５，２４４５と同一に遂行される。
【０２５１】
図２８を参照すると、ＵＥがステップ２８４０に進行する場合、これは、ＵＥに複数のサービングセルが設定され、サービングセルが異なるＵＬ／ＤＬ構成を有し、サービングセルのサブフレームｍ＋１のうち少なくとも一つは、Ｕサブフレームであることを意味する。ＵＥは、設定されたサービングセルのうち活性化状態のサービングセルのサブフレーム［ｂｅｆｏｒｅ］とサブフレーム［ａｆｔｅｒ］を確認する。サブフレーム［ｂｅｆｏｒｅ」としてＤサブフレームを、サブフレーム［ａｆｔｅｒ」としてＵサブフレームを有するサービングセルに対して、ＵＥは、ステップ２８５０に進行し、他のセルに対しては、ステップ２８５５に進行する。ＵＥがステップ２８５０に進行する場合、これは、該当サービングセルのサブフレームｍ＋１でＵＬ送信を遂行する場合、６ｍｓの期間が保証されないことを意味する。該当サービングセルのサブフレームｍ＋１ではＵＬ送信がスケジューリングされても、ＵＥは、ＵＬ送信を遂行せずに関連変数のみを調整する。
【０２５２】
ステップ２８５５において、ＵＥは、現在構成又は現在バンド組み合わせでフルデュプレックスで動作するか、あるいはハーフデュプレックスで動作するかを判定する。ＵＥは、ハーフデュプレックスで動作する場合にはステップ２８６０に進行し、フルデュプレックスで動作する場合にはステップ２８６５に進行する。
【０２５３】
ステップ２８６０において、ＵＥは、ＳＣｅｌｌのサブフレーム［ａｆｔｅｒ］と重なるＰＣｅｌｌのサブフレーム（すなわち、ＰＣｅｌｌのサブフレーム［ａｆｔｅｒ］、ＰＣｅｌｌのサブフレーム［ａｆｔｅｒ］とサブフレーム［ａｆｔｅｒ＋１］、あるいはＰＣｅｌｌのサブフレーム［ａｆｔｅｒ−１］）のタイプに基づいてＳＣｅｌｌのサブフレーム［ａｆｔｅｒ］で遂行する動作を決定する。
【０２５４】
ステップ２８６５で、ＵＥは、ＳＣｅｌｌのサブフレーム［ａｆｔｅｒ］のタイプを参照してサブフレーム［ａｆｔｅｒ］で遂行する動作を決定する。
【０２５５】
上記した図２７の例を参照すると、測定ギャップの開始時点の基準を提供するサービングセルのサブフレーム［ｂｅｆｏｒｅ］は、サービングセルのサブフレーム［ａｆｔｅｒ］の動作に影響する。例えば、測定ギャップがサービングセル１のサブフレーム７で始まる場合、サービングセル１のサブフレーム［ｂｅｆｏｒｅ」がＤサブフレームでないので、サービングセル１のサブフレーム［ａｆｔｅｒ］だけでなく、サブフレーム［ｂｅｆｏｒｅ］としてＤサブフレームを有するサービングセル２のサブフレーム［ａｆｔｅｒ］は、ＵＬ送信が可能される。測定ギャップがサービングセル２のサブフレーム７で始まる場合、サービングセル２のサブフレーム［ｂｅｆｏｒｅ］がＤサブフレームであるため、サービングセル２のサブフレーム［ａｆｔｅｒ］だけでなく、Ｄサブフレームでないサブフレーム［ｂｅｆｏｒｅ］を有するサービングセル１のサブフレーム［ａｆｔｅｒ］で、ＵＬ送信が禁止される。
【０２５６】
したがって、ＵＥとｅＮＢが、どんなサービングセルのサブフレーム境界で、あるいはどんなサービングセルのサブフレームを基準で測定ギャップを始めるか否かを知っている場合、サービングセルのサブフレーム［ｂｅｆｏｒｅ］に基づいて、すべてのサービングセルのサブフレーム［ａｆｔｅｒ］で遂行する動作が決定できる。
【０２５７】
図２９は、本発明のもう一つの実施形態による測定ギャップ設定に関連したＵＥの動作を示すフローチャートである。ステップ２９００，２９０５，２９１０，２９１５，２９２０は、図１９に示したステップ１９００，１９０５，１９１０，１９１５，１９２０と同一なので、その説明を省略する。
【０２５８】
図２９を参照すると、ステップ２９２５で、所定基準セルのサブフレームのうち、測定ギャップの開始時点を特定するＳＦＮとサブフレーム番号に該当するサブフレームの開始時点で測定ギャップを始める。一実施形態では、基準セルは、ＰＣｅｌｌであり得る。他の実施形態では、基準セルは、現在活性化状態であるサービングセルのうちＤＬ受信時点が最も先行するサービングセルであり得る。もう一つの実施形態では、基準セルは、サブフレーム［ｂｅｆｏｒｅ］がＤでないサービングセルであり得る。もう一つの実施形態では、基準セルは、現在時点では活性化状態であるサービングセルのうちＤＬ受信時点が最も後行するサービングセルであり得る。
【０２５９】
ステップ２９３０で、ＵＥは、基準セル、例えばＰＣｅｌｌのサブフレーム［ｂｅｆｏｒｅ］がＤタイプであり、基準セルを含む現在活性化状態であるすべてのサービングセルのうち少なくとも一つがＵタイプのサブフレーム［ａｆｔｅｒ］を有するかを確認する。２つのタイプ条件が満足すると、ステップ２９３５に進行し、２つのタイプの条件のうち一つでも満たすが、ステップ２９４０に進行する。
【０２６０】
ステップ２９３５で、ＵＥは、サービングセルのサブフレーム［ａｆｔｅｒ］のうちＵサブフレームであるサブフレーム［ａｆｔｅｒ］では、ＵＬ送信を遂行しない。Ｕサブフレームでないサービングセルのサブフレーム［ａｆｔｅｒ］では、ＵＥは、ノーマル動作を遂行する。例えば、ＵＥがハーフデュプレックスで動作する場合、ＵＥは、ＰＣｅｌｌのサブフレーム［ａｆｔｅｒ］及びサブフレーム［ａｆｔｅｒ］に隣接したサブフレームのタイプに従ってＳＣｅｌｌのサブフレーム［ａｆｔｅｒ］動作を遂行する。フルデュプレックスで動作する場合、該当サービングセルのサブフレーム［ａｆｔｅｒ］タイプを参照して動作を遂行する。
【０２６１】
ステップ２９４０で、ＵＥは、現在設定で、あるいは現在バンド組み合わせでＵＥがフルデュプレックスで動作するか、あるいはハーフデュプレックスで動作するかを判定する。ＵＥは、ハーフデュプレックスで動作する場合にはステップ２９４５に進行し、フルデュプレックスで動作する場合にはステップ２９５０に進行する。ステップ２９４５において、ＵＥは、ＳＣｅｌｌのサブフレーム［ａｆｔｅｒ］と重なるＰＣｅｌｌサブフレーム（すなわち、ＰＣｅｌｌのサブフレーム［ａｆｔｅｒ］又はＰＣｅｌｌのサブフレーム［ａｆｔｅｒ］とサブフレーム［ａｆｔｅｒ＋１］、又はサブフレーム［ａｆｔｅｒ−１］）のタイプに基づいてＳＣｅｌｌのサブフレーム［ａｆｔｅｒ］で遂行する動作を決定する。ステップ２９５０で、ＵＥは、ＳＣｅｌｌのサブフレーム［ａｆｔｅｒ］のタイプに従ってサブフレーム［ａｆｔｅｒ］で遂行する動作を決定する。
【０２６２】
図２８〜図２９の手順により動作するＵＥ及びｅＮＢは、各々図１１及び図１２に示す構成を有する。
【０２６３】
後述する本発明の実施形態では、現在活性化状態であるサービングセルのうちＤＬ受信時点が最も後行するサービングセルに基づいて測定ギャップを開始し、Ｕサブフレームであるサブフレーム［ａｆｔｅｒ］では、ＵＬ送信を遂行しない方法及び装置を提供する。これは、測定ギャップの開始時点の基準を提供するサービングセルのサブフレームタイプがサブフレーム［ａｆｔｅｒ］での動作に影響を及ぼすためである。測定ギャップの開始時点の基準を最も後行するサービングセルのサブフレーム境界に設定することにより、サブフレーム［ｂｅｆｏｒｅ］に及ぼす影響が最小化される。
【０２６４】
図３０は、本発明の一実施形態によるサブフレーム３つの構造を示す。ここでは、サブフレーム［ｂｅｆｏｒｅ］とサブフレーム［ａｆｔｅｒ］のタイプに従ってサブフレームの３つの開始点とサブフレームセットの長さを示す。サブフレームセットは、連続する複数のサブフレームを含み、以下に説明の便宜上、サブフレームセットは、サブフレームｎ，ｎ＋１，ｎ＋２，ｎ＋３，ｎ＋４，ｎ＋５を含む。
【０２６５】
図３０を参照すると、長さが６ｍｓであるサブフレームセット（以下、‘中間セット’と称する）の開始時点で測定ギャップが始まる場合、測定ギャップは、同一のサービングセルのサブフレーム［ａｆｔｅｒ］に影響を及ぼさない。６ｍｓより小さい長さを有するサブフレームセット（以下、‘短いセット’と称する）の開始時点で測定ギャップが始まる場合、同一のサービングセルのサブフレーム［ａｆｔｅｒ］の一部が測定ギャップと重なるため、ＵＥは、サブフレーム［ａｆｔｅｒ］で送受信を遂行してはならない。６ｍｓより長い長さを有するサブフレームセット（以下、‘長いセット’と称する）の開始時点に測定ギャップが始まる場合、測定ギャップは、同一のサービングセルのサブフレーム［ａｆｔｅｒ］に影響を及ぼさない。
【０２６６】
サブフレーム［ｂｅｆｏｒｅ］及び［ａｆｔｅｒ］の９個の組み合わせは、次のようにタイプ別に生じられる。
【０２６７】
【表７】
0006396918.tif 000008
【０２６８】
サブフレーム［ｂｅｆｏｒｅ］とサブフレーム［ａｆｔｅｒ］が両方ともＳサブフレームである場合、これがＵＬ／ＤＬ構成の観点から存在しないので考慮する必要がない。サブフレーム［ｂｅｆｏｒｅ］がＵサブフレームである場合、その次のサブフレームであるサブフレームｎがＵサブフレーム又はＤサブフレームである。サブフレームｎがＤサブフレームである場合、サブフレーム［ｂｅｆｏｒｅ］とサブフレームｎとの間にＴＡだけのスイッチングギャップが存在する。サブフレームｎがＵサブフレームである場合、サブフレーム［ｂｅｆｏｒｅ］とサブフレームｎとの間にスイッチングギャップが存在しない。したがって、サブフレーム［ｂｅｆｏｒｅ］がＵサブフレームである場合、サブフレームｎがＤサブフレームであるか、あるいはサブフレームｎがＵサブフレームであるかを判定しなければならない。その結果、下記のような１１つのケースがあり得る。
【０２６９】
【表８】
0006396918.tif 000009
【０２７０】
図３０に示すように、サブフレームｎとしてＵサブフレームを有する各サブフレームセット３００５，３０１０，３０１５，３０２０，３０２５の開始時点は、基準ＤＬ受信時点よりＴＡだけ先行する。
【０２７１】
ＵＬ／ＤＬ構成が異なるサービングセルが活性化状態であり、サービングセルのサブフレームｎで測定ギャップが開始される場合、大きく以下のような２つの問題点が発生する。以下、説明の便宜のために、測定ギャップ開始時点の基準を提供するサービングセルをＣＥＬＬＳＴＡＲＴと称し、他のサービングセルはＣＥＬＬＯＴＨＥＲと称する。
【０２７２】
１．ＣＥＬＬＯＴＨＥＲのサブフレームｎ−１が測定ギャップと重なる問題。サブフレームセット３０２５がセルＣＥＬＬＳＴＡＲＴであり、サブフレームセット３０３０がセルＣＥＬＬＯＴＨＥＲである場合、セルＣＥＬＬＯＴＨＥＲのサブフレームｎ−１は、常にＤサブフレームであり、ＵＥは、Ｄサブフレームでデータを成功的に受信しない。したがって、ｅＮＢは、この状況が発生する場合、ＵＥにサブフレームｎ−１でＰＤＳＣＨ又はＥＰＤＣＣＨ（Ｅｎｈａｎｃｅｄ  ＰＤＣＣＨ）を伝送しなくなければならないので、ＵＥは、サブフレームｎ−１でＰＨＩＣＨは受信するが、ＰＤＳＣＨ、ＥＰＤＣＣＨ、及びＰＭＣＨ（Ｐｈｙｓｉｃａｌ  Ｍｕｌｔｉｃａｓｔ  Ｃｈａｎｎｅｌ）は受信しない。ｅＮＢは、ＰＤＳＣＨ領域でＵＥにＰＤＣＣＨを伝送でき、このＰＤＣＣＨは、ＥＰＤＣＣＨと称する。ＥＰＤＣＣＨは、ＰＤＣＣＨ領域に強い干渉が予想される場合に使用され、ｅＮＢは、ＵＥにＥＰＤＣＣＨが搬送されるサブフレームを予め知らせる。ＰＭＣＨは、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）信号を搬送する。ＰＤＳＣＨ、ＰＭＣＨ、及びＥＰＤＣＣＨは、サブフレームの全時区間にわたって伝送され、ＰＨＩＣＨは、サブフレームの開始部分のみで伝送される特徴がある。
【０２７３】
２．ＣＥＬＬＯＴＨＥＲのサブフレームｎ＋６が測定ギャップと重なる問題。サブフレームセット３０４５はセルＣＥＬＬＳＴＡＲＴであり、サブフレームセット３０５５がセルＣＥＬＬＯＴＨＥＲである場合、サブフレームｎ＋６は、常にＵサブフレームである。ＵＥがサブフレームｎ＋６でＵＬ送信を遂行する場合、測定ギャップに対して６ｍｓが保証されない問題が発生する。
【０２７４】
本発明の他の実施形態において、ＵＥは、次のように動作する。ＵＥは、セルＣＥＬＬＳＴＡＲＴで短いセット内のサブフレーム［ａｆｔｅｒ］でＵＬ信号を伝送しない。また、ＵＥは、セルＣＥＬＬＯＴＨＥＲでサブフレーム［ｂｅｆｏｒｅ］でＤＬ信号を受信せず、サブフレーム［ａｆｔｅｒ］でＵＬ信号を伝送しない。すなわち、ＵＥ動作は、以下のようである。
−ＵＥは、決定された規則に従って基準サービングセルを判定し、基準サービングセルで測定ギャップを開始する。
−ＣＥＬＬＳＴＡＲＴが以下の条件を満たす場合、ＵＥは、サブフレーム［ａｆｔｅｒ］でＵＬ送信を遂行しない。
サブフレーム［ｂｅｆｏｒｅ］がＤサブフレームである（３０５０に該当）又は
サブフレーム［ｂｅｆｏｒｅ］がＵサブフレームであり、サブフレームｎがＤサブフレームである（３０５５に該当）
−セルＣＥＬＬＯＴＨＥＲのサブフレーム［ｂｅｆｏｒｅ］がＤサブフレームである場合、ＵＥは、ＰＤＳＣＨ／ＥＰＤＣＣＨ／ＰＭＣＨを受信しない。
−ＣＥＬＬＯＴＨＥＲのサブフレーム［ａｆｔｅｒ］がＵサブフレームである場合、ＵＥは、ＵＬ信号を伝送しない。
【０２７５】
図３１は、本発明の一実施形態による測定ギャップに関連したＵＥの動作を示すフローチャートである。ステップ３１００，３１０５，３１１０，３１１５，３１２０，３１２５は、図２９に示したステップ２９００，２９０５，２９１０，２９１５，２９２０，２９２５と同一なので、その説明を省略する。
【０２７６】
図３１を参照すると、ステップ３１３０で、ＵＥは、基準セルのサブフレーム［ａｆｔｅｒ］で遂行する動作を決定する。ＵＥは、基準セルのサブフレーム［ｂｅｆｏｒｅ］がＤサブフレームであり、基準セルのサブフレーム［ａｆｔｅｒ］がＵサブフレームである場合、基準セルのサブフレーム［ａｆｔｅｒ］でＵＬ送信を遂行しない。
【０２７７】
ＵＥは、基準セルのサブフレーム［ｂｅｆｏｒｅ］がＵサブフレームであり、測定ギャップが始まるサブフレーム、すなわちサブフレームｎがＤサブフレームであり、サブフレーム［ａｆｔｅｒ］がＵサブフレームである場合、基準セルのサブフレーム［ａｆｔｅｒ］でＵＬ送信を遂行しない。
【０２７８】
条件を満たさない場合、ＵＥは、サブフレーム［ａｆｔｅｒ］のタイプに基づいて基準セルのサブフレーム［ａｆｔｅｒ］で遂行する動作を決定する。
【０２７９】
ステップ３１３５で、ＵＥは、基準セルでなく他のサービングセルのサブフレーム［ａｆｔｅｒ］で実行する動作を決定する。
【０２８０】
ＵＥは、基準セルでなく他のサービングセルのサブフレーム［ａｆｔｅｒ］がＵサブフレームである場合、該当サービングセルのサブフレーム［ａｆｔｅｒ］でＵＬ送信を遂行しない。ＵＥは、サービングセルのサブフレーム［ａｆｔｅｒ］がＤサブフレーム又はＳサブフレームである場合、該当アブフレーム［ａｆｔｅｒ］でＤサブフレーム又はＳサブフレーム動作を遂行する。
【０２８１】
ステップ３１４０で、ＵＥは、基準セルでなく他のサービングセルのサブフレーム［ｂｅｆｏｒｅ］で遂行する動作を決定する。基準セルでなくサービングセルのサブフレーム［ｂｅｆｏｒｅ］がＤサブフレームである場合、ＵＥは、該当サービングセルのサブフレーム［ｂｅｆｏｒｅ］でＰＨＩＣＨは受信するが、ＰＤＳＣＨ、ＰＭＣＨ、ＥＰＤＣＣＨは受信しない。サブフレーム［ｂｅｆｏｒｅ］がＳサブフレーム又はＵサブフレームである場合、ＵＥは、該当サービングセルのサブフレーム［ｂｅｆｏｒｅ］で正常動作を遂行する。基準セルのサブフレーム［ｂｅｆｏｒｅ］がＤサブフレームであっても、ＵＥは、正常動作を遂行する。
【０２８２】
ＵＥは、決定した通りにサービングセルのサブフレーム［ｂｅｆｏｒｅ］及び［ａｆｔｅｒ］で適切な動作を遂行する。
【０２８３】
上記した第１の問題点、すなわち基準セルでなくサービングセルのサブフレーム［ｂｅｆｏｒｅ］が測定ギャップと重なる問題点は、測定ギャップが最後のサブフレーム開始時点を有するサービングセルで始まる場合に発生しない。例えば、測定ギャップがサービングセル３０３０，３０３５，３０４０，３０４５，３０５０，又は３０５５で開始される場合、測定ギャップは、基準セル以外にサービングセルのサブフレームｎ−１と重複されない。
【０２８４】
図３２は、本発明の一実施形態による測定ギャップに関連したＵＥの動作を示すフローチャートである。ステップ３２００，３２０５，３２１０，３２１５，３２２０は、図２９に示したステップ２９００，２９０５，２９１０，２９１５，２９２０と同一なので、その説明を省略する。
【０２８５】
図３２を参照すると、ＵＥは、複数のサービングセルのサブフレームｎのうち測定ギャップを始めるサブフレームｎを決定する。この決定は、第１及び第２の基準を適用して遂行される。第１の基準は、サブフレームｎのタイプであり、第２基準はＤＬ受信時点である。
【０２８６】
サービングセルｘ及びサービングセルｙのサブフレームｎのタイプが類似しない場合、サービングセルｘ及びサービングセルｙの開始時点の先行／後行は、該当サブフレームのタイプに従って決定される。一方、サービングセルｘ及びサービングセルｙのサブフレームｎのタイプが類似した場合、サービングセルｘ及びサービングセルｙのサブフレームの開始時点の先行／後行は、セルｘ及びセルｙのＤＬ受信時点によって決定される。より詳細に説明すれば、Ｄアブフレーム又はＳサブフレームがＵサブフレームと混在する場合、Ｕサブフレームの開始は、Ｄ又はＳサブフレームの開始に先行する。Ｕサブフレームのみが存在するか、あるいはＤ又はＳサブフレームのみが存在する場合、Ｕサブフレームｂ間の先行／後行とＤ／Ｓサブフレーム間の先行／後行は、ＤＬ受信時点間の差、すなわち伝搬遅延間の差によって決定される。異なるタイプを有するサブフレームの開始時点は、ＴＡだけの差があり、ＴＡは、伝搬遅延より一層大きい。したがって、２つのサービングセルのサブフレーム間の先行／後行は、サブフレームのタイプに従って決定される。サブフレームが類似したタイプを有する場合には、伝搬遅延間の差によって決定される。
【０２８７】
ＵＥは、サービングセルのサブフレームｎのタイプにより、複数のサービングセルのサブフレームｎのうち測定ギャップを始めるサブフレームｎを決定する。ＵサブフレームがＤサブフレーム又はＳサブフレームと混在する場合、ＵＥは、Ｄ又はＳサブフレームで測定ギャップを始めると決定する。複数のサブフレームがこの条件を満たす場合、ＵＥは、第２の基準、すなわちＤＬ受信時点に基づいて複数のサブフレームｎのうちいずれか一つを最終的に選択する。第２の基準は、最も遅いＤＬ信号の受信時点であり、あるいは最も早いＤＬ信号受信時点であり得る。第２の基準が最後のＤＬ受信時点として設定される場合、第１及び第２の基準間に一貫性が維持され、最後のサブフレーム開始時点を有するサービングセルのサブフレームｎが選択される。この場合、サブフレームｎのタイプが異なる場合には問題がない。しかしながら、サブフレームｎのタイプが類似している場合に、測定ギャップは、基準セルでなくサービングセルのサブフレームｎ＋６の先部と重複される。この重複部分は、伝搬遅延の差と同一である。したがって、ＵＥは、送信又は受信ができない。一方、第２の基準を最も早いＤＬ信号受信時点として設定する場合において、サブフレームｎのタイプが類似している場合、測定ギャップは、サブフレームｎ−１の最後部分の伝搬遅延の差だけ測定ギャップと重なる。そのため、ＵＥは、送信及び受信を遂行しない。受信を基準とする場合、任意のサブフレームの後部分を受信しないことが、開始部分を受信しないより有利である。したがって、第２の基準として最も早いＤＬ受信を使用することがもう少し望ましい。
【０２８８】
第１の基準と第２の基準により、測定ギャップを開始するサブフレームｎと基準セルを決定した後、ＵＥは、ステップ３２３０で、サブフレーム［ａｆｔｅｒ］で遂行する動作を決定する。
【０２８９】
ステップ３２３０で、ＵＥは、基準セルのサブフレームｎ、あるいは測定ギャップが始まる第１のサブフレームがＤサブフレーム又はＳサブフレームであるかを判定する。言い換えれば、測定ギャップと開始時点が一致するサブフレームがＤ又はＳであるかを確認する。あるいは、基準セルのサブフレームｎがＵでないか否かを確認する。又は、基準セルのサブフレームｎ−１がＤ又はＵであるか否かを確認する。条件を満たさない場合、すなわちサブフレームｎがＵである場合、測定ギャップの開始時点がサブフレームｎがＤ／Ｓである場合に比べて、ＴＡだけ先行することであり、サブフレームｎ＋６がＵとしても測定ギャップと重ならないということを意味し、ＵＥは、ステップ３２３５に進行し、サブフレームタイプがＵであるサブフレームｎ＋６から正常にＵＬ送信を遂行する。基準セルのサブフレームｎがＤ又はＳである場合、測定ギャップの開始時点がＤ／Ｓの開始時点と一致するために、サブフレームｎ＋６がＵである場合、測定ギャップと重なるので、ＵＥは、ステップ３２４０に進行してサブフレームタイプがＵであるサブフレームｎ＋６でＵＬ送信を遂行しない。
【０２９０】
以上、測定ギャップの開始時点がサブフレームｎである場合、測定ギャップがサブフレームｎの開始境界で始まる場合の実施形態を説明する。下記では、測定ギャップの開始時点がサブフレームｎである場合、測定ギャップがサブフレームｎの開始境界でないサブフレームｎ−１の終了境界で始まる場合の実施形態を説明する。
【０２９１】
図３３は、本発明による測定ギャップの設定の一例を示す。
【０２９２】
図３３を参照すると、サブフレームｎ−１（サブフレーム３３０５）はＵサブフレームであり、サブフレームｎ（サブフレーム３３１５）はＤサブフレームである。このような場合、測定ギャップは、サブフレームｎの開始境界で始まるよりはサブフレームｎ−１の終了境界で始まることが望ましい。ＵサブフレームとＤサブフレームとの間にはＴＡと同じ長さのギャップ３３１５が存在し、ギャップ３３１５は、ＵＬからＤＬへのスイッチングが発生する時区間である。測定ギャップは、ＵＥの送受信器を現在周波数で測定する周波数でスイッチングする期間を含むので、ＵＬからサービング周波数のＤＬにスイッチングした後、測定する周波数のＤＬにスイッチングするよりは、ＵＬで測定する周波数のＤＬにさらにスイッチングすることがより効率的である。図３３の実施形態において、サブフレームｎの開始境界から始まる測定ギャップ３３２０の長さがｘ  ｍｓである場合、サブフレーｎの終了境界から始まる測定ギャップ３３２５の長さは、ＴＡのための区間３５１５だけ延びて（ｘ＋ＴＡ）ｍｓである。以上のように、測定ギャップ３３２５がＴＡ区間３５３１５を含むように設定される場合、ＵＥ立場では測定ギャップで実質的に許可される時区間が長くなる効果が得られる。
【０２９３】
ＴＤＤ通信システムにおいて、サブフレームｎ＋６がＵサブフレームである場合、図３０に示したようにサブフレームｎ乃至サブフレームｎ＋５によって保証される時区間の長さは、大部分６ｍｓ未満である。したがって、サブフレームｎ＋６がＵサブフレームである場合、ＵＬ送信を遂行しないことがＵＥの複雑度も低下させる側面で望ましい。ｅＮＢは、サブフレームｎ＋６でＳＲＳ又はＰＵＣＣＨのようなＵＬ送信が予定されているとしても、ＵＬ信号を無視することによって、ＵＥが伝送を遂行しないことによって発生する問題点を防止できる。
【０２９４】
図３４は、本発明のもう一つの実施形態によるＵＥの動作を示すフローチャートである。
【０２９５】
図３４を参照すると、ステップ３４００で、ＵＥは、サービングセルのシステム情報を獲得してＲＲＣ接続設定手順の遂行に必要な各種情報を認知してサービングセルとＲＲＣ接続設定手順を開始する。ＲＲＣ接続設定手順が完了すると、サービングセルは、ＵＥのＰＣｅｌｌである。
【０２９６】
ステップ３４０５で、ＵＥは、ＰＣｅｌｌを通じてｅＮＢに性能を報告するための性能情報メッセージを伝送する。ＣＡをサポートするＵＥは、性能情報メッセージに自身がサポートするバンド組み合わせ情報を含め、ｅＮＢは、サポートするバンド組み合わせ情報を用いてどんな周波数帯域のどんなセルをＵＥのＳＣｅｌｌに設定することか判定する。
【０２９７】
ステップ３４１０で、ＵＥにＳＣｅｌｌが設定される。ＳＣｅｌｌ設定は、ｅＮＢがＵＥにＳＣｅｌｌ構成情報を含むＲＲＣ制御メッセージを伝送し、ＵＥがＳＣｅｌｌ構成情報によってＳＣｅｌｌの周波数帯域をサポートするための信号経路を設定することによって、あるいはＳＣｅｌｌを通じてデータを送受信するように送受信装置を設定することによってなされる。ＳＣｅｌｌ構成情報は、例えばＳＣｅｌｌの中心周波数情報、ＳＣｅｌｌでＵＥが使用する無線リソース関連情報がある。
【０２９８】
ステップ３４１５で、ｅＮＢは、ＵＥに測定ギャップを設定する。測定ギャップは、ＵＥにｇａｐＯｆｆｓｅｔを割り当てる測定ギャップ構成情報を伝送することで設定することができる。例えば、ｇａｐＯｆｆｓｅｔは、０〜３９間の値を有する第１の１ｇａｐＯｆｆｓｅｔと０〜７９との間の値を有する第２のｇａｐＯｆｆｓｅｔに区分され、このうちいずれか一つの値が使用される。第１のｇａｐＯｆｆｓｅｔに対応する測定ギャップ反復区間は４０ｍｓに指定され、第２のｇａｐＯｆｆｓｅｔに対応する測定ギャップ反復区間は８０ｍｓに指定され得る。
【０２９９】
ＳＣｅｌｌの設定と測定ギャップの設定は、一つのＲＲＣ制御メッセージを通じて同時になされ、あるいは別途の制御メッセージを通じて順次になされることができる。順次に遂行される場合、両者の前後は、変わることがある。
【０３００】
ステップ３４２０で、ＵＥは、測定ギャップの開始時点を特定するシステムフレーム番号（ＳＦＮ）とサブフレーム番号を算出する。例えば、測定ギャップが始まるラジオフレームのＳＦＮは、＜数式１＞により算出される。例えば、測定ギャップが始まる時点を特定するサブフレーム番号は、＜数式２＞により算出される。
【０３０１】
ステップ３４２５で、ＵＥは、測定ギャップが始まる時点を特定するＳＦＮとサブフレーム番号を参照して測定ギャップの開始時点を決定する。例えば、＜数式１＞と＜数式２＞を通じてサブフレームｎが算出される場合、ＵＥは、現在活性化状態であるサービングセルのサブフレームｎ−１のうち最も遅く終了するサブフレームを特定し、最も最後のサブフレームｎ−１が終了する時点に測定ギャップを始めると決定する。言い換えれば、ＵＥは、現在活性化状態であるサービングセルのサブフレームｎ−１のアクティビティ（ａｃｔｉｖｉｔｙ）が完了した時点に基づいて測定ギャップを始める。サブフレームｎ−１でのアクティビティは、サブフレームｎ−１で予定されているＵＬ信号伝送、ＤＬ信号受信、及びサブフレームｎ−１で実行するように指示されたＵＬ信号伝送及びＤＬ信号受信を含む。活性化状態であるサービングセルが一つだけである場合、すなわち設定されてアクティブされたＳＣｅｌｌが存在しない場合、ＵＥは、現在サービングセルのサブフレームｎ−１の終了時点で測定ギャップの測定動作を開始する。
【０３０２】
ステップ３４３０でサブフレーム［ａｆｔｅｒ］が開始する直前、ＵＥは、現在動作モードがＦＤＤモードであるか、あるいはＴＤＤモードであるかを検査する。ＦＤＤモードである場合、ステップ３４３５に進行してＴＤＤモードである場合、ステップ３４４０に進行する。
【０３０３】
ステップ３４３５で、ＵＥは、サブフレーム［ａｆｔｅｒ］で予定されているＵＬ送信を省略する。ステップ３４４０で、ＵＥは、サブフレーム［ａｆｔｅｒ］がＤ又はＳサブフレームであるか否かを検査する。Ｄ又はＳサブフレームである場合、ステップ３４４５に進行してサブフレーム［ａｆｔｅｒ］のタイプによって適切な動作を遂行する。すなわち、Ｄサブフレームである場合、ＰＨＩＣＨ／ＰＤＣＣＨ／ＰＤＳＣＨのＤＬ信号を受信してＳサブフレームである場合、ＰＨＩＣＨ／ＰＤＣＣＨのＤＬ信号を受信した後に、ＵＬ送信に切り替える。
【０３０４】
サブフレーム［ａｆｔｅｒ］がＤ又はＳサブフレームでない場合、すなわちＵＬサブフレームである場合、ＵＥは、ステップ３４５０に進行してサブフレーム［ａｆｔｅｒ］で予定されている動作を省略する。
【０３０５】
以上では、測定ギャップの設定に関連した多様な実施形態を説明したが、本発明の範囲が以上で説明した動作の例示に限定されるものではないことは明らかである。すなわち、先立って説明した実施形態の少なくとも一部動作は当該技術分野で自明な技術の範囲で組み合わせあるいは省略することができる。
【０３０６】
以下、本発明のＲＩを報告する実施形態について説明する。
【０３０７】
ＵＥは、ＭＩＭＯに設定されたサービングセルのチャンネル状況を基づいて空間多重化のための階層の受信可能な個数を表す情報をｅＮＢに報告し、この情報をＲＩと称する。
【０３０８】
ＲＩは、サービングセル別に設定可能であり、該当サービングセルから理論的にサポート可能な階層の最大個数に従ってＲＩのサイズが設定されることが望ましい。例えば、最大４個の階層まで送受信が可能である場合、ＲＩのサイズは２ビットであることが望ましく、最大８個の階層まで送受信が可能である場合、ＲＩのサイズは３ビットであることが望ましい。
【０３０９】
任意のサービングセルで送受信可能な階層の最大個数は、ＵＥが受信できる階層の最大個数（すなわち、ＵＥのＭＩＭＯ性能を意味する）とｅＮＢが伝送できる階層の最大個数（すなわち、ｅＮＢに設定されたアンテナポートの個数を意味する）を考慮し、より具体的に、これらのうち小さい値によって決定される。ＵＥによりＤＬでサポートする階層の最大個数は、ＵＥのＵＥカテゴリーにより指示される。ＵＥカテゴリーは、ＵＥのＵＬ及びＤＬ性能を定義するパラメータの組み合わせを表す番号として、例えば、以下の＜表９＞のような８個のカテゴリが定義される。
【０３１０】
【表９】
0006396918.tif 000010
【０３１１】
＜表９＞で、‘Ｍａｘｉｍｕｍ  ｎｕｍｂｅｒ  ｏｆ  ｓｕｐｐｏｒｔｅｄ  ｌａｙｅｒｓ  ｆｏｒ  ｓｐａｔｉａｌ  ｍｕｌｔｉｐｌｅｘｉｎｇ  ｉｎ  ＤＬ’は、ＵＥのＭＩＭＯ性能に関連した情報である。
【０３１２】
ＵＥカテゴリ１〜５は、ＬＴＥリリース８及び９で定義され、ＵＥカテゴリ６，７，８は、ＬＴＥリリース１０で定義される。したがって、ＬＴＥリリース８又は９のｅＮＢは、ＵＥから報告されるＵＥカテゴリ６，７，８を理解できず、ＵＥは、ｅＮＢのＬＴＥリリースを知らない。したがって、ＵＥカテゴリ６〜８のＵＥは、ｅＮＢにＵＥカテゴリを報告することにおいて、６〜８のＵＥカテゴリのうちの一つと１〜５のＵＥカテゴリのうちの一つ、両方とものカテゴリを報告しなければならない。以下、説明の便宜のために、１〜５のカテゴリに関連したＭＩＭＯ性能を第１のＭＩＭＯ性能と称し、６〜８のカテゴリに関連したＭＩＭＯ性能を第２のＭＩＭＯ性能と称する。
【０３１３】
ＵＥカテゴリにマッピングされたＭＩＭＯ性能は、すべての周波数帯域に対して一つの値のみが報告できる。しかしながら、ＵＥが受信できる階層の数は、周波数帯域に従って変わることができる。つまり、高い周波数帯域でＵＥは、ＵＥに構成されたアンテナの個数の階層を受信することができるが、低い周波数帯域では、アンテナ間の距離が周波数波長の半分より小さくなるため、より小さい数の階層のみを受信することができる。ＵＥは、バンド別に、あるいはバンド組み合わせ別にＭＩＭＯ性能を個別的に報告することによって、偏差によって発生する問題を防止する。バンド組み合わせ別ＭＩＭＯ性能は、‘サポートするバンド組み合わせ’ＩＥ内のｓｕｐｐｏｒｔｅｄＭＩＭＯ−ＣａｐａｂｉｌｉｔｙとのＩＥを通じて報告される。ｓｕｐｐｏｒｔｅｄＢａｎｄＣｏｍｂｉｎａｔｉｏｎは、リリース１０に導入された。以下のバンド組み合わせ別に報告されるＭＩＭＯ性能を第３のＭＩＭＯ性能と称する。
【０３１４】
ＵＥは、ｅＮＢに自身のＭＩＭＯ性能を報告することにおいて、１種類、２種類、又は３種類のＭＩＭＯ性能を報告できる。カテゴリ６〜８のＵＥは、第１のＭＩＭＯ性能、第２のＭＩＭＯ性能、及び第３のＭＩＭＯ性能を報告し、カテゴリ１〜５のリリース１０以上のＵＥは、第１のＭＩＭＯ性能と第３のＭＩＭＯ性能を報告し、カテゴリ１〜５のリリース８又はリリース９のＵＥは、第１のＭＩＭＯ性能を報告する。
【０３１５】
ＲＩの報告に使用されるビット数は、ＵＥが報告したＭＩＭＯ性能及びｅＮＢがＵＥに指示したｅＮＢの構成情報を用いて決定される。さらに、ＤＬの伝送モード（ＴＭ）がより考慮できる。ＵＥは、予め定義される複数の伝送モードのうちいずれか一つによってＰＤＳＣＨを受信するように上位階層シグナリングを通じて構成される。伝送モードは、ＰＤＳＣＨに関連した制御情報（すなわち、ＰＤＣＣＨ）のフォーマット、制御情報を検索するリソース領域（以下、‘検索領域’と称する）及びＰＤＳＣＨの伝送方式を定義する。ここで、ＰＤＳＣＨの伝送方式は、例えば、アンテナ構成、伝送ダイバーシティ、空間多重化、多重ユーザー（ＭＵ）ＭＩＭＯを含む。
【０３１６】
伝送モード１〜８はＬＴＥリリース８及び９で定義され、伝送モード９〜１０はＬＴＥリリース１０又はその以後リリースで定義された。したがって、伝送モード９又は１０がｅＮＢにより構成された場合、ＵＥは、ｅＮＢがＬＴＥリリース１０以後のｅＮＢであると判定できる。ＬＴＥリリース１０以後のｅＮＢは、バンド組み合わせ別ＭＩＭＯ性能を理解することができるので、ＲＩのビット数は、バンド組み合わせ別ＭＩＭＯ性能を考慮して決定され得る。
【０３１７】
図３５は、本発明の一実施形態により、ＲＩのビット数を決定する全体動作を示す。
【０３１８】
図３５を参照すると、ＵＥ３５０５は、ステップ３５１３で、ｅＮＢ３５１０にＭＩＭＯ性能に対する情報を報告する。ＭＩＭＯ性能に関する情報は、ＵＥのカテゴリとリリースに従って第１のＭＩＭＯ性能、第２のＭＩＭＯ性能、及び第３のＭＩＭＯ性能のうち一部又は全体を表すことができる。
【０３１９】
ｅＮＢは、ステップ３５１５で、ＵＥのＭＩＭＯ性能とｅＮＢの性能に従ってＵＥにＭＩＭＯを設定するか否か、そしてＵＥとのＭＩＭＯ動作のためにいくつのアンテナポートを設定するか否かを判定し、この判定によるＭＩＭＯ構成情報を生成する。
【０３２０】
ｅＮＢは、ステップ３５２０で、ＭＩＭＯ構成情報、例えば数個のアンテナポートを使用するかを表す情報及びＲＩ報告を使用するか否かを表す情報を受納した所定の制御メッセージをＵＥに伝送する。ＵＥとｅＮＢは、ステップ３５２５で、所定の情報と予め定められた規則を用いてＲＩのビット数を決定する。ＵＥとｅＮＢは、同一のアルゴリズムを使用するので、同一のＲＩのビット数を獲得するようになる。所定の情報及び規則について後述する。ステップ３５３０で、ＵＥは、ビット数を適用してＲＩを報告し、ｅＮＢは、ビット数を適用してＲＩを受信して解析してＵＥに伝送する階層数を判定する。
【０３２１】
図３６は、本発明の一実施形態により、ＲＩのビット数を決定するＵＥの動作を示すフローチャートである。以下に、ＵＥの動作を示したが、ｅＮＢは、同一のアルゴリズムによってＲＩのビット数を決定する。
【０３２２】
図３６を参照すると、ステップ３６００で、ＵＥは、サービングセルに関するシステム情報を受信し、ＲＲＣ接続設定手順の遂行に必要な情報をシステム情報から取得し、サービングセルに対してＲＲＣ接続設定手順を開始する。ＲＲＣ接続設定手順が完了すると、サービングセルは、ＵＥのＰＣｅｌｌとなる。
【０３２３】
ステップ３６０５において、ＵＥは、性能情報メッセージによりｅＮＢにＵＥの性能を報告する。ＵＥがＣＡをサポートする場合、ＵＥは、性能情報メッセージにＵＥサポートするバンド組み合わせに関する情報を含み、ｅＮＢは、サポートするバンド組み合わせ情報を用いてどの周波数帯域のどんなセルをＵＥのＳＣｅｌｌとして設定するかを判定する。性能情報メッセージは、次のようなＭＩＭＯ情報を含む。
−ＵＥがリリース８又はリリース９のＵＥである場合、第１のＭＩＭＯ性能
−ＵＥがリリース１０以上であり、かつカテゴリ１〜５に属する場合、第１のＭＩＭＯ性能情報及び第３のＭＩＭＯ性能
−ＵＥがリリース１０以上であり、かつカテゴリ６〜８に属する場合、第１のＭＩＭＯ性能、第２ＭＩＭＯ性能、及び第３のＭＩＭＯ性能
【０３２４】
ステップ３６１０で、ＵＥのサービングセルにＭＩＭＯが構成される。ＵＥは、サービングセルに対してＲＩを報告することを指示する制御メッセージをｅＮＢから受信する。
【０３２５】
ステップ３６１５で、ＵＥは、所定の情報と所定の規則を適用してサービングセルに対して何ビットのＲＩを報告するかを決定する。このとき、以下の規則のうちいずれか一つが使用できる。
【０３２６】
［規則１］
【０３２７】
−該当サービングセルに対して構成された伝送モード（ＴＭ）を参照してＵＥ基準性能を決定する。すなわち、ＵＥがサービングセルに対してＴＭ９又はＴＭ１０で構成されている場合、サービングセルに対する第３のＭＩＭＯ性能がＵＥ基準性能に決定し、そうでない場合には、例えば、ＵＥがサービングセルに対してＴＭ４又はＴＭ８で構成されている場合、第１のＭＩＭＯ性能がＵＥ基準性能で決定される。
−ｅＮＢのアンテナ構成によってｅＮＢ基準性能が決定される。すなわち、ｅＮＢのアンテナ構成は、データ伝送のために使用可能なアンテナポートの最大個数を含み、システム情報又は専用ＲＲＣメッセージによってＵＥに通知できる。
−ＵＥ基準性能に対応するレイヤの最小個数とｅＮＢ基準性能に対応するレイヤの個数に基づいてＲＩのビット数が決定される。最小値が４である場合、ＲＩは、２ビットであり、最小値が８である場合、ＲＩは３ビットである。
【０３２８】
ｅＮＢによりＴＭ４又はＴＭ８が構成される場合、これは、ｅＮＢがリリース８又はリリース９のｅＮＢである可能性が高いことを意味する。ＴＭ９又はＴＭ１０がｅＮＢにより設定される場合、これは、ｅＮＢがリリース１０又はより上位バージョンリリースのｅＮＢを意味する。リリース１０以後のリリースをサポートするｅＮＢは、ＵＥが報告する第３のＭＩＭＯ性能を理解することができる。
【０３２９】
サービングセルに対する第３のＭＩＭＯ性能は、該当時点の構成に対応するｓｕｐｐｏｒｔｅｄＢａｎｄＣｏｍｂｉｎａｔｉｏｎに対して報告されたＭＩＭＯ性能を意味する。例えば、ＵＥにバンドＸで一つのサービングセルとバンドＹで一つのサービングセルが設定されている場合、バンドＸに設定されたサービングセルに対する第３のＭＩＭＯ性能は、バンドＸとバンドＹに対するｓｕｐｐｏｒｔｅｄＢａｎｄＣｏｍｂｉｎａｔｉｏｎのうちバンドＸに対して報告されたＭＩＭＯ性能を意味する。言い換えれば、第３のＭＩＭＯ性能を考慮すると、該当するサービングセルの周波数帯域に対して報告されたＭＩＭＯ性能に対応する階層の個数が、ＵＥ基準性能に決定される。
【０３３０】
［規則２］
【０３３１】
−少なくとも２つのサービングセルが設定されている場合、該当サービングセルの第３のＭＩＭＯ性能がＵＥ基準性能であると決定される。
−一つのサービングセルのみが設定されており、ＴＭ９又はＴＭ１０がＵＥに対して構成される場合、該当サービングセルの第３のＭＩＭＯ性能は、ＵＥ基準性能であると決定される。
−一つのサービングセルのみが設定され、ＴＭ４又はＴＭ８がＵＥに対して構成される場合、第１のＭＩＭＯ性能は、ＵＥ基準性能であると決定される。
−ｅＮＢのアンテナ構成に基づいて、ｅＮＢ基準性能が決定される。
−ＵＥ基準性能とｅＮＢ基準性能のうち少ないレイヤの個数に対応するようにＲＩのビット数が決定される。
【０３３２】
［規則３］
【０３３３】
−該当サービングセルに対して構成された伝送モード（ＴＭ）によりＵＥ基準性能を決定する。ＵＥがサービングセルに対してＴＭ４又はＴＭ８で構成される場合、第１のＭＩＭＯ性能がＵＥ基準性能であると決定される。ＴＭ９又はＴＭ１０がサービングセルで構成され、ＵＥがカテゴリ１〜５に属する場合、第１のＭＩＭＯ性能は、ＵＥ基準性能であると決定される。ＴＭ９又はＴＭ１０が構成され、ＵＥがカテゴリ６〜８に属する場合、第２のＭＩＭＯ性能は、ＵＥ基準性能であると決定される。
−ｅＮＢのアンテナ構成に基づいてｅＮＢ基準性能が決定される。
−ＵＥ基準性能に対応するレイヤの最小個数及びｅＮＢ基準性能に対応するレイヤの個数により、ＲＩのビット数が決定される。
【０３３４】
＜表９＞に示すように、カテゴリ６とカテゴリ７に対する第２のＭＩＭＯ性能は、２つの値２，４で表される。これは、ＵＥにＣＡが設定された場合とＣＡが設定されない場合の異なるＭＩＭＯ性能を考慮したためである。カテゴリ６又は７のＵＥは、第２のＭＩＭＯ性能がＵＥ基準性能として使用される場合、下記の規則により、第２のＭＩＭＯ性能の値を決定する。
−一つのサービングセルのみが設定されている場合、第２のＭＩＭＯ性能は、２つの値のうち高い値、すなわち４である。
−２つのサービングセルが設定されている場合、第２のＭＩＭＯ性能は２つの値のうち低い値、すなわち２である。
【０３３５】
［規則４］
【０３３６】
−所定の制御メッセージを通じて所定のインジケータがｅＮＢから受信される場合、該当サービングセルの第３のＭＩＭＯ性能がＵＥ基準性能として決定される。このインジケータは、ＵＥに第３のＭＩＭＯ性能を使用するように指示するために使用できる。
−所定の制御メッセージを通じて所定のインジケータがｅＮＢから受信されない場合、第１のＭＩＭＯ性能は、ＵＥ基準性能であると決定される。
−ｅＮＢアンテナ構成に基づいて、ｅＮＢ基準性能が決定される。
−ＵＥ基準性能に対応するレイヤの最小個数及びｅＮＢ基準性能に対応するレイヤの個数により、ＲＩのビット数が決定される。
【０３３７】
ｅＮＢは、リリース８又はリリース９のＵＥにインジケータを伝送しない。第３のＭＩＭＯ性能を理解できるｅＮＢのみが所定のインジケータを伝送する。したがって、ＵＥは、インジケータの存在有無に従ってＵＥ基準性能として使用されるＭＩＭＯ性能を決定する。
【０３３８】
インジケータは、制御メッセージのみを通じて伝送できる。制御メッセージは、例えばＲＩ報告を指示する情報又はＭＩＭＯ構成情報を含むＲＲＣ制御メッセージであり得る。
【０３３９】
ステップ３６２０で、ＵＥは、決定したビット数を用いてＲＩを符号化し、所定の伝送リソースを用いて所定の時点でｅＮＢに伝送する。
【０３４０】
ＵＥに対してＲＲＣ接続を設定し、性能情報メッセージを受信し、ＲＩ報告をＵＥに指示した後に、ステップ３６１５で、ｅＮＢは、ＵＥで使用されたものと同一の情報及び規則によりＲＩのビット数を決定する。ｅＮＢは、所定の伝送リソースと時区間でＵＥから決定されたビット数のＲＩを受信し、ＲＩをノーマルに復号化することができる。
【０３４１】
図３０〜３６に示す動作を遂行するＵＥ及びｅＮＢは、各々図１１及び図１２に示す構成を有する。  
【０３４２】
本発明による異なる周波数帯域を有するＴＤＤセルを用いる通信を遂行する方法及び装置は、コンピュータ読み取り可能な記録媒体に対するコンピュータ読み取り可能なコードとして実施されることができる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、光ディスク、磁気テープ、フロッピー（登録商標）ディスク、ハードディスク、非揮発性メモリを含み、搬送波（例えば、インターネットを通じる伝送）の形態で実現される媒体も含む。さらに、このコンピュータ読み取り可能な記録媒体は、ネットワーク接続されたコンピュータシステムにわたって分散されることによって、コンピュータ読み取り可能なコードは分散形態で格納及び遂行される。
【０３４３】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【０３４４】
１１０５  送受信部
１１１０  制御部
１１２０  多重化及び逆多重化部
１１２５  上位階層処理部
１１３０  上位階層処理部
１１３５  制御メッセージ処理部
１２０５  送受信部
１２１０  制御部
１２１５  スケジューラ
１２２０  多重化及び逆多重化部
１２２５  上位階層処理部
１２３０  上位階層処理部
１２３５  制御メッセージ処理部
【図１】
0006396918.tif 000011
【図２】
0006396918.tif 000012
【図３】
0006396918.tif 000013
【図４】
0006396918.tif 000014
【図５】
0006396918.tif 000015
【図６】
0006396918.tif 000016
【図７】
0006396918.tif 000017
【図８】
0006396918.tif 000018
【図９】
0006396918.tif 000019
【図１０Ａ】
0006396918.tif 000020
【図１０Ｂ】
0006396918.tif 000021
【図１１】
0006396918.tif 000022
【図１２】
0006396918.tif 000023
【図１３Ａ】
0006396918.tif 000024
【図１３Ｂ】
0006396918.tif 000025
【図１４】
0006396918.tif 000026
【図１５】
0006396918.tif 000027
【図１６】
0006396918.tif 000028
【図１７】
0006396918.tif 000029
【図１８】
0006396918.tif 000030
【図１９】
0006396918.tif 000031
【図２０】
0006396918.tif 000032
【図２１】
0006396918.tif 000033
【図２２】
0006396918.tif 000034
【図２３】
0006396918.tif 000035
【図２４】
0006396918.tif 000036
【図２５】
0006396918.tif 000037
【図２６】
0006396918.tif 000038
【図２７】
0006396918.tif 000039
【図２８】
0006396918.tif 000040
【図２９】
0006396918.tif 000041
【図３０】
0006396918.tif 000042
【図３１】
0006396918.tif 000043
【図３２】
0006396918.tif 000044
【図３３】
0006396918.tif 000045
【図３４】
0006396918.tif 000046
【図３５】
0006396918.tif 000047
【図３６】
0006396918.tif 000048